(57)【要約】【課題】インクジェットプリンタにおいて、記録媒体とインクを一つのメディアパックにして供給するシステムで、手動によるヘッドの乾燥固着の回復、機内清掃を可能にする。【解決手段】インク溶解性に優れた保守用の液体と吸水性に優れたシートを有し、かつメディアパックと交換的にプリンタに装着できるクリーニングパックを設定し、クリーニングパック装着時には、保守液とシートを用いた回復清掃プログラムを実行する。【選択図】        図１
2004167936.tif 000002
【特許請求の範囲】
【請求項１】
記録媒体に記録を行う記録ヘッドを有する記録装置と、前記記録装置に対し着脱可能であり、前記記録媒体が収容される記録媒体収容部と、
前記記録ヘッドが用いる記録用液体が貯留される液体貯留部とを有するメディアパックからなる記録システムにおいて、
少なくとも、記録用液体の溶解性に優れた保守用液体と記録装置から排出された保守液を保持する廃液保持手段を有し、かつ、前記記録装置に対し前記メディアパックと交換的に着脱可能であることを特徴とするクリーニングパック。
【請求項２】
前記記録媒体より吸水性に優れたシート状吸水体が収容される吸水体収容部を有し、前記吸水体は前記記録装置の前記記録媒体が搬送される搬送路を搬送されることを特徴とする請求項１記載のクリーニングパック。
【請求項３】
前記メディアパックと前記クリーニングパックとを判別可能な情報を格納する情報格納手段を有する請求項１または２記載のクリーニングパック。
【請求項４】
記録媒体に記録を行う記録ヘッドを有する記録装置に対し、
前記記録媒体が収容される記録媒体収容部と、前記記録ヘッドが用いる記録用液体が貯留される液体貯留部と前記記録装置から排出された前記記録液体を保持する廃液保持手段とを具備して構成されるメディアパックと、少なくとも記録用液体の溶解性に優れた保守用液体と前記記録装置から排出された保守液を保持する廃液保持手段を具備して構成されるクリーニングパックが交換的に着脱可能であり、かつ、前記保守液体を前記記録装置内に供給する保守液供給手段を有することを特徴とする記録装置のクリーニングシステム。
【請求項５】
前記記録装置は前記液体貯留部から前記記録用液体を前記記録ヘッドに供給する記録液体供給手段を有し、前記クリーニングパックが装着されたときには、前記記録液体供給手段が前記保守用液体を前記記録ヘッドに供給することを特徴とする請求項４記載のクリーニングシステム。
【請求項６】
前記メディアパックと前記クリーニングパックの判別をする判別手段と、前記記録装置の記録動作を開始するための操作手段があり、前記判別手段によりクリーニングパックが判別されると、前記記録動作を開始するための操作手段の操作によって少なくとも前記保守液体を記録装置内に供給するクリーニング動作をすることを特徴とする請求項４または５のクリーニングシステム。
【請求項７】
前記クリーニングパックは前記記録媒体より吸水性に優れた吸水体が収容される吸水体収容部を有し、前記吸水体は前記記録装置の前記記録媒体が搬送される搬送路を搬送されることを特徴とする請求項４から６記載のクリーニングシステム。
【請求項８】
前記吸水体を前記記録ヘッドに対抗する位置まで搬送し、前記記録ヘッドから保守用液体を前記吸水体に吐出することを特徴とする請求項７記載のクリーニングシステム。
【請求項９】
前記記録ヘッドに対向する位置まで搬送された前記吸水体を前記記録ヘッドのインク吐出面に圧接させる圧接手段を有することを特徴とする請求範囲７または８記載のクリーニングシステム。
【請求項１０】
前記保守液体を前記記録ヘッドに供給する手段は前記記録液体供給手段と保守液体貯留部を加圧する加圧手段とから成ることを特徴とする請求範囲４から９記載のクリーニングシステム
【発明の詳細な説明】
【０００１】
【発明の属する技術分野】
本発明は、記録装置に対し着脱され記録媒体および記録用液体を収容するメディアパックと、記録装置を清掃するクリーニングパックと、それを備える記録装置、および、電子機器に関する。
【０００２】
【従来の技術】
インクジェット記録装置により記録媒体の記録面に対し画像を良好な画質で形成するにあたり、例えば、その記録媒体の種類に適合したインクが確実に使用されるように例えば、特開平１１−２５４７００号公報にも示されるように、記録装置本体に対し着脱可能なメディアパック（この公報においてはメディアカートリッジと称されている）が提案されている。メディアカートリッジは、例えば、その収容される記録媒体がすべて消費された場合、新たなメディアカートリッジに交換される。メディアカートリッジは、例えば、複数枚の記録媒体を積載収容する記録媒体収容部としてのカセット部と、その記録媒体の記録に対し適切なインクを貯留するインクタンク部と、その記録ヘッドの回復処理のために使用された使用済みインクを回収貯留する廃液タンク部とを含んで構成されている。
【０００３】
そのインクタンク部のインクは、収容されるすべての記録媒体の記録に少なくとも必要な量貯留されており、記録装置本体に装備される記録部に、その記録動作または回復処理動作に応じて供給される。
【０００４】
また、カセット部内の記録媒体は、装置本体側の送出ローラにより、最上端の用紙から順次取り出され記録装置本体の記録部における記録ヘッドに対し搬送される。廃液タンクには、装置本体に設けられる回復処理ユニットから排出される廃インクが供給される。
【０００５】
このような記録装置はインクや記録媒体の交換がメディアカートリッジを交換するだけですむ点と、印字のためのインクや廃液を本体内に大量に貯留する必要がない分小型化が可能である点で、プリンタユニットとして他の機器、カメラや携帯情報端末などに組み込むのに適している。
【０００６】
【発明が解決しようとする課題】
しかしながら、上述のような記録装置おいては、メディアカートリッジ内のインクの容量が多めになってしまう欠点があった。インクジェットにおいては、水分が蒸発することでノズル近傍のインクが増粘や固着したり、インク中に泡が発生したりしてノズルからインクを吐出できなくなる場合がある。多くのインクジットプリンタではノズル部を保護するキャップを設け、また、キャップ内に負圧を作り、ノズルから不良インクを強制的に排出してしまう回復手段を設けている。通常このような回復手段は、放置された時間などを計測し自動で動作するようになっているが、ノズルにごみが付着するなど不測の原因により吐出不能になった場合のために、ユーザーの意思でも動作させ得るよう操作手段が設けられているのが一般的である。インクを強制排出する回復はその分インクを消費するが、通常のプリンタではインクがなくなった時点でインクタンクを交換すれば次のプリントに支障をきたすことはない。しかし、上述の記録装置においては、カートリッジ内に貯留しているインクがなくなると、例えメディアが残っていても記録することができなくなってしまう。したがって、実際には実行されることの少ないユーザーによる回復分をあらかじめインク容量に上乗せしておかなければならない。これはまた、排インクのための容量も大きくしておかなければならないことであり、小型化に反し、またプリント単価も高くなってしまうものである。ところで、特開平１０−３４９７０公報のように印字ヘッドに着脱自在なインクカートリッジと、インクカートリッジと同一形状の洗浄液を収容する洗浄カートリッジがあり、洗浄カートリッジの装着が検知手段によって検知された場合にはインク強制導入手段によって洗浄液を印字ヘッドに導入する方式が知られている。しかし、この例でも余分に使われた洗浄液はプリンタ内の廃液タンクに排出されるため、廃インクタンクがその分大きくなってしまうものである。
また、他の機器に組み込んだ際には次の２点の課題がある。第一はインクタンク交換の際に印字ヘッドをインクタンクの交換ポジションに移動させる、または交換終了後次のステップに進めるためのスイッチ部材が必要な点である。組み込み機器にはその機器の本来の機能を動作させるための操作部材があるため、本来の機能でない回復のための操作部材が増加することは好ましくない。第二は印字部付近の清掃のために外部から手を入れられるよう開口部を設けなければならない点である。印字中の衝撃などの事故で吐出したインクが印字部付近に付着してしまったとき、紙粉の堆積で印字面が汚れてしまうようになったときなど、通常のインクジェットプリンタでは印字付近を開放する蓋があり、使用者が清掃できる構成になっている。しかし、特に他の機器に組み込む際に開口部を設けることは、製品レイアウトや使い勝手上の制約となってしまうものである。
【０００７】
以上の問題点を考慮し、本発明は、記録装置に対し着脱され記録媒体および記録用液体を収容するメディアパック、それを備える記録装置、および、電子機器であって、メディアパックおよびそれを備える機器の小型化を図ることができるメディアパックとクリーニングパック、それを備える記録装置、および、電子機器を提供することを目的とする。
【０００８】
【課題を解決するための手段】
上述の目的を達成するために、本発明に係るクリーニングパックは、記録媒体に記録を行う記録ヘッドを有する記録装置と、記録装置に対し着脱可能であり、記録媒体が収容される記録媒体収容部と、記録ヘッドが用いる記録用液体が貯留される液体貯留部と記録装置から排出される記録用液体を保持する廃液保持手段を有するメディアパックからなる記録システムにおいて、記録ヘッドに連結可能な、保守用液体が貯留される保守液体貯留部を有し、保守液体貯留部には記録用液体の溶解性に優れた液体を貯留し、記録装置から排出される保守液体を保持する保時手段を有しているとともに、記録装置に対しメディアパックと交代で着脱可能であり、さらに、記録媒体より吸水性に優れ、かつ記録媒体の搬送路を搬送される吸水体と、クリーニングパックとメディアパックの判別をする判別手段と、保守液体貯留部を加圧する加圧手段で構成される。
【０００９】
【発明の実施の形態】
（第一の実施例）
以下、本発明の第一の実施形を図面に基づいて説明する。
【００１０】
本明細書において、「プリント」（「記録」という場合もある）とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、またはプリント媒体加工を行う場合を言うものとする。
【００１１】
また、「プリント媒体」とは、一般的なプリント装置で用いられる紙のみならず、広く、布、プラスチック・フィルム、金属板等、ガラス、セラミックス、木材、皮革等、インクを受容可能な物も言うものとする。
【００１２】
さらに、「インク」（「液体」という場合もある）とは、上記「プリント」の定義と同様広く解釈されるべきものであり、プリント媒体上に付与されることによって、画像、模様、パターン等の形成、プリント媒体の加工、或いはインクの処理（例えば、プリント媒体に付与されるインク中の色材の凝固または不溶化）に供される液体を言うものとする。
【００１３】
「基本構成」
まず、図１から図１４に基づいて、本発明に係る装置の基本構成について説明する。本例の装置は、プリンタ内蔵カメラとして構成されており、その装置本体Ａ００１においては、カメラ部Ａ１００の背面側にプリンタ部（記録装置部）Ｂ１００が一体的に組み込まれている。プリンタ部Ｂ１００は、メディアパックＣ１００から供給されるインクとプリント媒体を用いて画像を記録する。本構成では、装置本体Ａ００１から外装を外して背面側から見た図５から明らかなように、装置本体Ａ００１の同図中の右手側にメディアパックＣ１００が挿入され、装置本体Ａ００１の同図中左手側にプリンタ部Ｂ１００が配置される。プリンタ部Ｂ１００によって記録を行う場合には、カメラ部Ａ１００における後述の液晶表示部Ａ１０５を上側、レンズＡ１０１を下側にするように、装置本体Ａ００１を置いた姿勢とすることができる。この記録姿勢において、プリンタ部Ｂ１００における後述の記録ヘッドＢ１２０は、インクを下向きに吐出する姿勢となる。記録姿勢は、カメラ部Ａ１００による撮影状態の姿勢と同様の姿勢とすることも可能であり、上記の記録姿勢に限られることはない。記録動作の安定性の面からは、上記のインクを下向きに吐出する記録姿勢が好ましい。
【００１４】
以下においては、本例の装置の機械的な基本構成をＡ「カメラ部」、Ｂ「メディアパックまたはクリーニングパック」、Ｃ「プリンタ部」、とに分けて説明し、また、信号処理系の基本構成はＤ「信号処理系」として説明する。
【００１５】
Ａ「カメラ部」
カメラ部Ａ１００は、基本的には、一般的なデジタルカメラを構成するものであり、後述するプリンタ部Ｂ１００と共に装置本体Ａ００１に一体的に組み合わせられることによって、図１から図３のような外観のプリンタ内蔵のデジタルカメラを構成する。図１から図３において、Ａ１０１はレンズ、Ａ１０２はファインダー、Ａ１０２ａはファインダー窓、Ａ１０３はストロボ、Ａ１０４はレリータン、Ａ１０５は液晶表示部（外部表示部）である。カメラ部Ａ１００は、後述するように、ＣＣＤを用いて撮像したデータの処理、コンパクトフラッシュ（登録商標）メモリカード（ＣＦカード）Ａ１０７への画像の記憶、画像の表示、プリンタ部Ｂ１００との間の各種データの授受等をする。Ａ１０９は、撮影された画像を後述のプリント媒体Ｃ１０４に記録した場合に、画像が記録されたプリント媒体Ｃ１０４が排出される排出部である。図５に示されるＡ１０８は、カメラ部Ａ１００およびプリンタ部Ｂ１００の電源としての電池である。
【００１６】
Ｂ「メディアパックまたはクリーンニングパック」
メディアパックとクリーニングパックの構成はほぼ同一であり、インクとプリント媒体がクリーニング用部材と置き換わるのみなので、以下特に断わらない場合は両者が同じ構成であるとし、また、クリーニングパックの説明ではメディアパックの番号に（’  ）をつけて区別する。
【００１７】
メディアパックまたはクリーニングパックＣ１００は、装置本体Ａ００１に対して着脱可能であり、本例の場合は、装置本体Ａ００１の挿入部Ａ００２（図３参照）から差し込まれることによって、図１のように装置本体Ａ００１に装着される。挿入部Ａ００２は、メディアパックＣ１００が装着されていないときは図３のように閉じられており、それが装着されるときに開かれる。図５は、メディアパックＣ１００が装着された装置本体Ａ００１から、外装を外した状態を示す。メディアパックＣ１００のパック本体Ｃ１０１には、図４のように、シャッターＣ１０２が矢印Ｄ方向にスライド可能に備えられている。シャッターＣ１０２は、メディアパックＣ１００が装置本体Ａ００１に装着されていないときには図４中の２点鎖線の位置にスライドしており、メディアパックＣ１００が装置本体Ａ００１に装着されたときには、図４中の実線の位置にスライドする。
【００１８】
パック本体Ｃ１０１には、インクパックＣ１０３とプリント媒体Ｃ１０４が収容されている。図４において、インクパックＣ１０３は、プリント媒体Ｃ１０４の下方に収容される。本例の場合、インクパックＣ１０３は、Ｙ（イエロー），Ｍ（マゼンタ），Ｃ（シアン）のインクを個別に収容するように３つ備えられており、またプリント媒体Ｃ１０４は２０枚程度重ねて収容されている。それらのインクとプリント媒体Ｃ１０４は、画像の記録に最適な組合せのものが選択された上、同じメディアパックＣ１００内に収容されている。したがって、インクとプリント媒体の組合せが異なる種々のメディアパックＣ１００（例えば、超高画質用、ノーマル画質用、シール（分割シール）用等のメディアパック）を用意しておいて、記録すべき画像の種類、および画像が形成されたプリント媒体の用途などに応じて、それらのメディアパックＣ１００を選択的に装置本体Ａ００１に装着することにより、最適な組合せのインクとプリント媒体を用いて、目的に応じた画像を確実に記録することができる。
【００１９】
クリーニングパックＣ１００’では上記インクパックＣ１０３’には保守用液体、たとえば染料が添加されていないインクが収容されている。また、プリント媒体Ｃ１０４に代わりほぼ同形状、同じ厚さの吸水性に優れる材質、たとえば、紙、親水性を付与されたＰＥＴ（ポリエチレンテレフタレート）の多孔質シート、または焼結材からなる吸水体Ｃ１０４’が収容されている。また、メディアパックまたはクリーニングパックＣ１００には後述するＥＥＰＲＯＭ（識別ＩＣ）が備えられており、そのＥＥＰＲＯＭには、メディアパックが収容しているインクとプリント媒体の種類や残量またはクリーニングパックであることなどの識別データが記憶される。
【００２０】
以下プリンタの各構成及び動作に対するプリント媒体と吸水体、各色インクと保守液体はそれぞれ同じ動作をするため、説明ではメディアパックが装着されたものとして進める。
【００２１】
インクパックＣ１０３は、メディアパックＣ１００が装置本体Ａ００１に装着されたときに、Ｙ，Ｍ，Ｃのインクのそれぞれに対応する３つのジョイントＣ１０５を通じて、後述する装置本体Ａ００１側のインク供給系に接続される。一方、プリント媒体Ｃ１０４は、後述する給紙ローラＣ１１０（図９参照）によって取り出され図示しない分離機構によって一枚ずつ分離されて矢印Ｃ方向に送出される。その給紙ローラＣ１１０の駆動力は、装置本体Ａ００１側に備わる後述の搬送モータＭ００２（図９参照）から、連結部Ｃ１１０ａを介して供給される。
【００２２】
また、パック本体Ｃ１０１には、後述するプリンタ部の記録ヘッドをワイピングするためのワイパーＣ１０６と、その廃液ジョイント３１３から排出された廃インクを吸収するためのインク吸収体Ｃ１０７と、が備えられている。プリンタ部における記録ヘッドは、後述するように矢印Ａの主走査方向に往復移動する。メディアパックＣ１００が装置本体Ａ００１から外されているときは、シャッターＣ１０２が図４中の２点鎖線の位置にスライドして、ジョイントＣ１０５、ワイパーＣ１０６、およびインク吸収体Ｃ１０７などを保護する。
【００２３】
Ｃ「プリンタ部」
本例のプリンタ部Ｂ１００は、インクジェット記録ヘッドを用いるシリアルタイプである。このプリンタ部Ｂ１００については、Ｃ−１「プリント動作部」、Ｃ−２「プリント媒体搬送系」、およびＣ−３「インク供給系」に分けて説明する。
【００２４】
Ｃ−１「プリント動作部」
図６は、プリンタ部Ｂ１００全体の斜視図、図７は、プリンタ部Ｂ１００の一部を取り外した斜視図である。
【００２５】
プリンタ部Ｂ１００の本体内部の定位置には、図５のように、装置本体Ａ００１に装着されたメディアパックＣ１００の先端部分が位置する。メディアパックＣ１００から図６において矢印Ｃ方向に送出されたプリント媒体または吸水体Ｃ１０４は、後述するプリント媒体搬送系におけるＬＦローラＢ１０１とＬＦピンチローラＢ１０２との間に挟まれつつ、プラテンＢ１０３上にて矢印Ｂの副走査方向に搬送される。Ｂ１０４は、ガイド軸Ｂ１０５とリードスクリューＢ１０６に沿って矢印Ａの主走査方向に往復移動されるキャリッジである。
【００２６】
キャリッジＢ１０４には、図８のように、ガイド軸Ｂ１０５用の軸受けＢ１０７と、リードスクリューＢ１０６用の軸受けＢ１０８が設けられている。キャリッジＢ１０４の定位置には、図７のように、軸受けＢ１０８の内側に突出するスクリューピンＢ１０９がばねＢ１１０によって取り付けられている。そして、リードスクリューＢ１０６の外周部に形成された螺旋溝に対して、スクリューピンＢ１０９の先端がはまり合うことによって、リードスクリューＢ１０６の回転がキャリッジＢ１０４の往復移動に変換される。
【００２７】
また、キャリッジＢ１０４には、Ｙ，Ｍ，Ｃのインクを吐出可能なインクジェット記録ヘッドＢ１２０と、その記録ヘッドＢ１２０に供給されるインクを収容するサブタンク（図示せず）が搭載されている。記録ヘッドＢ１２０には、矢印Ａの主走査方向と交差する方向（本例の場合は、直交する方向）に沿って並ぶ複数のインク吐出口Ｂ１２１（図８参照）が形成されている。インク吐出口Ｂ１２１は、サブタンクから供給されたインクを吐出可能なノズルを構成する。インクを吐出させるためのエネルギーの発生手段としては、ノズル毎に備えた電気熱変換体を用いることができる。その電気熱変換体は、発熱駆動されることによってノズル内のインク中に気泡を発生させ、その発泡エネルギーによってインク吐出Ｂ１２１からインク滴を吐出させる。また、インクではなく保守液体であっても同様に吐出ができる。
【００２８】
サブタンクは、メディアパックＣ１００に収容されているインクパックＣ１０３よりも小容量であり、少なくともプリント媒体Ｃ１０４の１枚分の画像記録に要な量のインクを収容する大きさとなっている。サブタンクにおいて、Ｙ，Ｍ，Ｃのインク毎のインク収容部分には、それぞれインク供給部と負圧導入部が形成されており、それらのインク供給部は対応する３つの中空のニ−ドルＢ１２２に個別に接続され、また、それらの負圧導入部は共通の供給エアー口Ｂ１２３に続されている。このようなサブタンクには、後述するように、キャリッジＢ１０４が図６のようなホームポジションに移動したときに、メディアパックＣ１００のインクパックＣ１０３からインクが補給される。
【００２９】
図８のキャリッジＢ１０４において、Ｂ１２４はニードルカバーであり、ニードルＢ１２２とジョイントＣ１０５とが連結していないときは、スプリングの力によって同図のように、ニードルＢ１２２を保護する位置に移動しており、ニードルＢ１２２とジョイントＣ１０５とが連結するときは、スプリングの力に抗して同図中の上方に押されてニードルＢ１２２の保護を解く。キャリッジＢ１０４の移動位置は、キャリッジＢ１０４側のエンコーダセンサＢ１３１と、プリンタＢ１００の本体側のリニアスケールＢ１３２（図６参照）と、によって検出される。また、キャリッジＢ１０４がホームポジションに移動したことは、キャリッジＢ１０４側のＨＰ（ホームポジション）フラグＢ１３３と、プリンタ部Ｂ１００の本体側のＨＰセンサＢ１３４（図７参照）と、によって検出される。
【００３０】
図７において、ガイド軸Ｂ１０５の両端には、その中心軸から偏心した位置に支軸（図示せず）が設けられている。ガイド軸Ｂ１０５は、その支軸を中心として回動調整されることにより、キャリッジ１０４の位置が調整されて、記録ヘッドＢ１２０と、プラテンＢ１０３上のプリント媒体Ｃ１０４と、の間の距離（「紙間距離」ともいう）が調整される。また、リードスクリューＢ１０６は、スクリューギアＢ１４１、アイドラギアＢ１４２、およびモータギアＢ１４３を介して、キャリッジモータＭ００１によって回転駆動される。また、Ｂ１５０は、後述する制御系と記録ヘッドＢ１２０とを電気的に接続するためのフレキシブルケーブルである。
【００３１】
記録ヘッドＢ１２０は、キャリッジＢ１０４と共に矢印Ａの主走査方向に移動しつつ、画像信号に応じてインク吐出口Ｂ１２１からインクを吐出することによって、プラテンＢ１０３上のプリント媒体に１行分の画像を記録する。このような記録ヘッドＢ１２０による１行分の記録動作と、後述するプリント媒体搬送系による矢印Ｂの副走査方向におけるプリント媒体の所定量の搬送動作と、が繰り返されることによって、プリント媒体上に順次画像が記録される。
【００３２】
Ｃ−２「プリント媒体搬送系」
図９は、プリンタ部Ｂ１００におけるプリント媒体搬送系の構成部分の斜視図である。図９において、Ｂ２０１は対の排紙ローラであり、同図中上側の一方の紙ローラＢ２０１は、排紙ローラギアＢ２０２および中継ギアＢ２０３を介して、搬送モータＭ００２により駆動される。同様に、前述したＬＦローラＢ１０１は、ＬＦローラギアＢ２０４と中継ギアＢ２０３を介して、搬送モータＭ００２により駆動される。排紙ローラＢ２０１およびＬＦローラＢ１０１は、搬送モータＭ００２の正転時の駆動力によって、プリント媒体Ｃ１０４を矢印Ｂの副走査方向に搬送する。
【００３３】
一方、搬送モータＭ００２が逆転したときは、切替スライダＢ２１１および切替カムＢ２１２を介して、圧板ヘッドＢ２１３と図示しないロック機構とが駆動されると共に、メディアパックＣ１００側の給紙ローラＣ１１０に駆動力が伝達される。すなわち、圧板ヘッドＢ２１３は、搬送モータＭ００２の逆転時の駆動力によって、メディアパックＣ１００のシャッターＣ１０２の窓部Ｃ１０２Ａ（図４参照）を通って、メディアパックＣ１００内に集積されているプリト媒体Ｃ１０４を図４中の下方に押圧する。これにより、図４中の最下位置のプリント媒体Ｃ１０４がメディアパックＣ１００内の給紙ローラＣ１１０上に押し付けられる。また、図示しないロック機構は、搬送モータＭ００２の逆転時の駆動力によって作動状態とされ、装置本体Ａ００１に対してメディアパックＣ１００をロックしてメディアパックＣ１００の取り外しを禁止する。また、メディアパックＣ１００側の給紙ローラＣ１１０は、搬送モータＭ００２の逆転時の駆動力が伝達されることによって、図４中最下位置の１枚のプリント媒体Ｃ１０４を矢印Ｃ方向に搬出する。
【００３４】
このように、搬送モータＭ００２が逆転することによって、メディアパックＣ１００からプリント媒体Ｃ１０４が１枚だけ図９において矢印Ｃ方向に取り出され、その後、搬送モータＭ００２が正転することによって、そのプリント媒体Ｃ１０４が矢印Ｂ方向に搬送される。
【００３５】
Ｃ−３「インク供給系」
図１０は、プリンタ部Ｂ１００におけるインク供給系の構成部分の斜視図、図１１は、そのインク供給系の構成部分にメディアパックＣ１００が装着されたときの平面図である。
【００３６】
プリンタ部Ｂ１００に装着されたメディアパックＣ１００のジョイントＣ１０５は、ホームポジションに移動したキャリッジＢ１０４側のニードルＢ１２２（図８参照）の下に位置する。プリンタ部Ｂ１００の本体には、ジョイントＣ１０５の下方に位置するジョイントフォークＢ３０１（図１０参照）が備えられており、そのジョイントフォークＢ３０１がジョイントＣ１０５を上動させることにより、ジョイントＣ１０５がニードルＢ１２２に接続される。これにより、メディアパックＣ１００側のインクパックＣ１０３と、キャリッジＢ１０４側のサブタンクのインク供給部と、の間のインク供給路が形成される。また、プリンタ部Ｂ１００の本体には、ホームポジションに移動したキャリッジＢ１０４の供給エアー口Ｂ１２３（図８参照）の下に位置する供給ジョイントＢ３０２が備えられている。この供給ジョイントＢ３０２は、供給チューブＢ３０３を介して、負圧発生源としてのポンプのポンプシリンダＢ３０４に接続されている。供給ジョイントＢ３０２は、ジョイントリフタＢ３０５によって上動されることにより、キャリッジＢ１０４側の供給エアー口Ｂ１２３に接続される。これにより、キャリッジＢ１０４側のサブタンクの負圧導入部と、ポンプシリンダＢ３０４と、の間の負圧導入路が形成される。ジョイントリフタＢ３０５は、ジョイントモータＭ０３の駆動力によって、供給ジョイントＢ３０２と共にジョイントフォークＢ３０１を上下動させる。
【００３７】
サブタンクの負圧導入部には、空気の通過を許容し、かつインクの通過を阻止する気液分離部材（図示せず）が備えられている。気液分離部材は、負圧導入路を通して吸引されるサブタンク内の空気の通過を許容し、これによりメディアパックＣ１００からサブタンクにインクが補給される。そして、サブタンク内のインクが気液分離部材に達するまで、インクが充分に補給されたときに、その気液分離部材がインクの通過を阻止することにより、インクの補給が自動的に停止する。気液分離部材は、サブタンクのインク毎のインク収容部分におけるインク供給部に備えられており、それらのインク収容部分毎に、インクの補給を自動的に停止させる。
【００３８】
また、プリンタ部Ｂ１００の本体には、ホームポジションに移動したキャリッジＢ１０４側の記録ヘッドＢ１２０（図８参照）に対して、キャッピングが可能な吸引キャップＢ３１０が備えられている。吸引キャップＢ３１０は、その内部に、吸引チューブＢ３１１を通してポンプシリンダＢ３０４から負圧が導入されることによって、記録ヘッドＢ１２０のインク吐出口Ｂ１２１からインクを吸引排出（吸引回復処理）させることができる。また、記録ヘッドＢ１２０は、必要に応じて、画像の記録に寄与しないインクを吸引キャップＢ３１０内に吐出させる（予備吐出処理）。吸引キャップＢ３１０内のインクは、ポンプシリンダＢ３０４から、廃液チューブＢ３１２と廃液ジョイントＢ３１３を通して、メディアパックＣ１１０内のインク吸収体Ｃ１０７に排出される。
【００３９】
ポンプシリンダＢ３０４は、それを往復駆動するためのポンプモータＭ００４などと共にポンプユニットＢ３１５を構成する。ポンプモータＭ００４は、ワイパーリフタＢ３１６（図１０参照）を上下動させるための駆動源としても機能する。ワイパーリフタＢ３１６は、プリンタ部Ｂ１００に装着されたメディアパックＣ１００のワイパーＣ１０６を上動させることによって、そのワイパーＣ１０６を記録ヘッドＢ１２０のワイピングが可能な位置に移動させる。
【００４０】
図１０および図１１において、Ｂ３２１は、ポンプシリンダＢ３０４によって構成されるポンプの動作位置がホームポジションにあることを検出するポンプＨＰセンサである。また、Ｂ３２２は、前述したインク供給路および負圧導入路が成されたことを検出するジョイントＨＰセンサである。また、Ｂ３２３は、プリンタ部Ｂ１００の本体を構成するシャーシである。
【００４１】
Ｄ「信号処理系」
図１２は、カメラ部Ａ１００とプリンタ部Ｂ１００の概略のブロック構成図である。
【００４２】
カメラ部Ａ１００において、１０１は撮像素子としてのＣＣＤ、１０２は音声入力のためのマイク、１０３はハードウェア処理を行うＡＳＩＣ、１０４は画像データ等を一時的に記憶する第１メモリ、１０５は撮像画像を記憶するＣＦカード（「ＣＦカードＡ１０７」に相当）、１０６は撮影画像または再生画像を表示するＬＣＤ（「液晶表示部Ａ１０５」に相当）、１２０はカメラ部Ａ１００の制御をする第１ＣＰＵ、である。
【００４３】
プリンタ部Ｂ１００において、２１０は、カメラ部Ａ１００とプリンタ部Ｂ１００との間のインターフェース、２０１は画像処理部（画像を２値化する２値化処理部を含む）、２０２は画像処理を行う上で使用する第２メモリ、２０３はバンドメモリ制御部、２０４はバンドメモリ、２０５はマスクメモリ、２０６はヘッド制御部、２０７は記録ヘッド（「記録ヘッドＢ１２０」に相当）、２０８はエンコーダ（「エンコーダセンサＢ１３１」に相当）、２０９はエンコーダカウンタ、２２０はプリンタ部Ｂ１００を制御する第２ＣＰＵ、２２１はモータドライバ、２２２はモータ（「モータＭ００１，Ｍ００２，Ｍ００３，Ｍ００４」に相当）、２２３はセンサ（「ＨＰセンサＢ１３４，Ｂ３２１，Ｂ３２２」を含む）、２２４はメディアパックＣ１００に内蔵されているＥＥＰＲＯＭ、２３０は音声エンコーダ部、２５０は装置全体に電源を供給する電源部（「電池Ａ１０８」に相当）、である。
【００４４】
図１３は、カメラ部Ａ１００における信号処理の説明図である。撮影モードの時は、レンズ１０７を通してＣＣＤ１０１により撮像された画像は、ＡＳＩＣ１０３により信号処理（ＣＣＤ信号処理）され、ＹＵＶ輝度２色差信号に変換される。更に、所定の解像度にリサイズされ、ＪＰＥＧ圧縮されてＣＦカード１０５に記録される。また、音声に関しては、マイク１０２より入力され、ＡＳＩＣ１０３を介してＣＦカード１０５に記憶される。音声の記録に関しては、撮影時と同時、または、撮影後のアフレコとして記憶させることができる。再生モードの時には、ＣＦカード１０５よりＪＰＥＧ画像が読み出され、ＡＳＩＣ１０３によりＪＰＥＧ伸張され、更に表示用の解像度にリサイズされてＬＣＤ１０６に表示される。
【００４５】
図１４は、プリンタ部Ｂ１００における信号処理の説明図である。
【００４６】
カメラ部Ａ１００側で再生された画像、即ちＣＦカード１０５より読み出された画像は、図１３のように、ＡＳＩＣ１０３によってＪＰＥＧ伸張され、プリンする解像度に適する解像度にリサイズされる。そして、リサイズされた画像データ（ＹＵＶ）はインターフェース部２１０を介してプリンタ部Ｂ１００へ送られる。プリンタ部Ｂ１００は、図１４のように、カメラ部Ａ１００より送られた画像データを画像処理部２０１により画像処理し、画像データのＲＧＢ信号への変換、カメラの特性に応じた入力γ補正、ルックアップテーブル（ＬＵＴ）を用いての色補正および色変換、プリントするための２値化信号への変換をする。２値化処理の際には、誤差拡散（ＥＤ）処理を行うために、誤差メモリとして第２メモリ２０２を用いる。本例の場合、画像処理部２０１における２値化処理部は誤差拡散処理を行なっているが、ディザパターンを使った２値化処理等、他の処理を行うことも可能である。２値化されたプリントデータはバンドメモリ制御部２０３によって、一旦バンドメモリ２０４に記憶される。プリンタ部Ｂ１００のエンコーダカウンタ２０９には、記録ヘッド２０７およびエンコーダ２０８を搭載したキャリッジＢ１０４が一定距離移動する毎に、エンコーダ２０８からのエンコーダパルスが入る。そして、このエンコーダパルスに同期して、バンドメモリ２０４とマスクメモリ２０５からプリントデータが読み出され、そのプリントデータに基づき、ヘッド制御部２０６が記録ヘッド２０７を制御して記録を行う。
【００４７】
図１４中のハンドメモリ制御について説明すると次のとおりである。
【００４８】
記録ヘッド２０７における複数のノズルは、例えば、１２００ｄｐｉの密度をなすように列状に形成されている。このような記録ヘッド２０７を用いて画像を記録すべく、キャリッジを１回走査させるときには、副走査方向（以下、「縦（Ｙ方向）」ともいう）においてはノズル数分、主走査方向（以下、「横（Ｘ方向）ともいう」）においては記録領域分の記録データ（１走査分の記録データ）を、予め作成しておく必要がある。記録データは、画像処理部２０１にて作成されてから、バンドメモリ制御部２０３によってバンドメモリ２０４に一旦蓄えられる。バンドメモリ２０４に１走査分の記録データが蓄えられた後、キャリッジが主走査方向に走査される。その際、エンコーダ２０８より入力されたエンコーダパルスがエンコーダカウンタ２０９によってカウントされ、このエンコーダパルスにしたがってバンドメモリ２０４から記録データが読み出され、その画像データに基づいて記録ヘッド２０７からインク滴が吐出される。記録ヘッド２０７の往走査時および復走査時に画像を記録（往路記録および復路記録）する双方向記録方式を採用した場合には、記録ヘッド２０７の走査方向に応じて、バンドメモリ２０４から画像データが読み出される。例えば、往路記録時は、バンドメモリ２０４から読み出される画像データのアドレスが順次インクリメントされ、復路記録時は、バンドメモリ２０４から読み出される画像データのアドレスが順次デクリメントされる。
【００４９】
実際には、画像処理部２０１により作成された画像データ（Ｃ，Ｍ，Ｙ）がバンドメモリ２０４に書込まれて、１バンド分の画像データが準備されたとき、記録ヘッド２０７の走査が可能となる。そして、記録ヘッド２０７を走査し、バンドメモリ２０４より画像データを読み出して、その画像データに基づいて記録ヘッド２０７が画像を記録する。記録動作の間に、次に記録すべき画像データが画像処理部２０１にて作成され、その画像データは、その記録位置に対応するバンドメモリ２０４の領域に書込まれる。
【００５０】
このように、バンドメモリ制御は、画像処理部２０１により作成された記録データ（Ｃ，Ｍ，Ｙ）をバンドメモリ２０４に書込む作業と、キャリッジの走査動作に合わせて、記録データ（Ｃ，Ｍ，Ｙ）をヘッド制御部２０６に送るために読み出す作業と、を切替ながら行う。
【００５１】
図１４中のマスクメモリ制御について説明すると次のとおりである。
【００５２】
このマスクメモリ制御は、マルチパス記録方式を採用した場合に必要となる。マルチパス記録方式の場合、記録ヘッド２０７のノズル列の長さに相当する幅をもつ１行分の記録画像は、記録ヘッド２０７の複数回の走査に分けて記録される。すなわち、副走査方向に間欠的に搬送されるプリント媒体の搬送量がノズル列の長さの１／Ｎとされ、例えば、Ｎ＝２のときは、１行分の記録画像が２回の走査に分けて記録（２パス記録）され、Ｎ＝４のときは、１行分の記録画像が４回の走査に分けて記録（４パス記録）される。同様に、Ｎ＝８のときは８パス記録Ｎ＝１６のときは１６パス記録となる。したがって、１行分の記録画像が記録ヘッド２０７の複数回の走査によって完成されることになる。
【００５３】
実際には、マスクメモリ２０５に、画像データを記録ヘッド２０７の複数回の走査に割り当てるためのマスクデータが格納されており、そのマスクデータと画像データとの論理積（ＡＮＤ）データに基づき、記録ヘッド２０７がインクを吐出して画像を記録する。
【００５４】
また、図１４において、ＣＦカード１０５に記憶された音声データは、ＡＳＩＣ１０２により、画像データと同じように、インターフェース２１０を介してプンタ部Ｂ１００へ送られる。プリンタ部Ｂ１００に送られた音声データは、音声エンコーダ２３０においてコード化（エンコード）されて、プリントする画像の中にコードデータとして記録される。プリント画像に音声データを入れる必要の無い時、または、音声データの無い画像をプリントする際には、当然に、コード化された音声データはプリントされず、画像のみがプリントされる。
【００５５】
本実施例においては、カメラ部Ａ１００とプリンタ部Ｂ１００が一体となったプリンタ内蔵カメラとして説明を行ってきた。しかし、カメラ部Ａ１００とプリンタ部Ｂ１００を分離した別々の装置とし、それらをインターフェース２１０により接続した構成においても同様に構成して、同様の機能を実現することが可能である。
【００５６】
さらに、上述したメディアパックまたはクリーニングパックＣ１００の各構成要素について詳述する。
【００５７】
メディアパックＣ１００は、例えば、図１５に示されるように、インクパックＣ１０３を内蔵するパックベースＣ１１２と、インクパックＣ１０３に相対向して配され複数枚のプリント媒体Ｃ１０４を積載して保持するメディアホルダーＣ１１４と、パックベースＣ１１２と係合することによりインクパックＣ１０３およびメディアホルダーＣ１１４に保持されるプリント媒体Ｃ１０４を覆うアッパカバーＣ１１６と、パックベースＣ１１２においてインク吸収体Ｃ１０７などが配される一方の端部側の上方をメディアパックＣ１００の着脱操作に応じて遮蔽または開放するシャッターＣ１０２とを含んで構成されている。
【００５８】
従って、上述したパック本体Ｃ１０１は、インクパックＣ１０３を内蔵するパックベースＣ１１２、プリント媒体Ｃ１０４を積載して保持するメディアホルダーＣ１１４と、アッパカバーＣ１１６とを含んで構成される。
【００５９】
パックベースＣ１１２は、図１６および図１８に示されるように、インクパックＣ１０３およびメディアホルダーＣ１１４に保持されたプリント媒体Ｃ１０４が収容されるインク／メディア収容部Ｃ１１２Ｂと、インク吸収体Ｃ１０７およびワイパーＣ１０６等が配置されるインク供給／廃液回収部Ｃ１１２Ａと、インク／メディア収容部Ｃ１１２Ｂとインク供給／廃液回収部Ｃ１１２Ａとの間に形され、メディアパックＣ１００装着時、後述するピンチローラＢ１０６が配置される用紙送出部Ｃ１１２Ｃとから構成されている。
【００６０】
なお、図１８は、メディアホルダーＣ１１４により保持されたプリント媒体Ｃ１０４が装着された状態を示す。
【００６１】
インク／メディア収容部Ｃ１１２Ｂの周縁には、配置されるインクパックＣ１０３およびメディアホルダーＣ１１４の幅方向の位置を規制する側壁部ＣＷ１、側壁部ＣＷ３、および係合片ＣＷ２と、メディアホルダーＣ１１４およびプリント媒体Ｃ１０４の長手方向の位置を規制する係合片ＣＷ４とが設けられている。
【００６２】
また、側壁部ＣＷ１の下部には、図１７に示されるように、後述するリターンスプリングが配される細長い溝ＣＷＧが形成されている。溝ＣＷＧの一方の端部は、そのリターンスプリングの一端が係止される係止片ＣＷＳが設けられている。溝ＣＷＧの下方となる部分および裏面部分の一部には、シャッターＣ１０２の下部を摺動可能に案内する案内部ＣＳＧがその長手方向に沿って形成されている。なお、案内部ＣＳＧは、側壁部ＣＷ３の外周面の下方部分にも相対向して形成されている。各案内部ＣＳＧの基端部には、案内部ＣＳＧの延在方向に対し略直交する方向に延びるストッパ部ＣＳＳが形成されている。そのストッパ部ＣＳＳは、シャッターＣ１０２の後退位置を規制するものとされる。
【００６３】
樹脂材料で袋状に成形されたインクパックＣ１０３は、イエローインク、マゼンタインク、および、シアンインクをそれぞれ所定量、貯留する貯留室Ｃ１０３ｙ、Ｃ１０３ｍ、および、Ｃ１０３ｃを有している。各貯留室Ｃ１０３ｙ、Ｃ１０３ｍ、および、Ｃ１０３ｃには、それぞれ、インク供給路Ｃ１０３ＳＹ、Ｃ１３ＳＭ、および、Ｃ１０３ＳＣの一端が接続されている。インク供給路Ｃ１０３ＳＹ、Ｃ１０３ＳＭ、および、Ｃ１０３ＳＣの他端は、インク供給／廃液回収部Ｃ１１２ＡにおけるジョイントＣ１０５に接続されている。なお、ジョイントＣ１０５、インク供給路Ｃ１０３ＳＹ、Ｃ１０３ＳＭ、および、Ｃ１０３ＳＣ、各貯留室Ｃ１０３ｙ、Ｃ１０３ｍ、および、Ｃ１０３ｃは、一体に成形されている。
【００６４】
なお、各貯留室Ｃ１０３ｙ、Ｃ１０３ｍ、および、Ｃ１０３ｃ、インク供給路Ｃ１０３ＳＹ、Ｃ１０３ＳＭ、および、Ｃ１０３ＳＣ、ジョイントＣ１０５は、密封され外気に連通していない。その内圧は、所定の許容圧力範囲に設定されている。
【００６５】
クリーニングパックである場合、前述のようにインクに代わり保守液体がインクパックＣ１０３に収容され、それ以外の構成部材はインクパックＣ１０３、インク供給路Ｃ１０３Ｓ、ジョイントＣ１０５と同じである。
【００６６】
メディアパックＣ１００が装着されるとき、インク供給／廃液回収部Ｃ１１２Ａにおいて一方の端部側に配されるジョイントＣ１０５は、図１６に二点鎖線で示されるように、上述のジョイントフォークＢ３０１が矢印の示す方向、即ち、メディアパックＣ１００の離脱方向に沿って係合される。ジョイントＣ１０５は、二点鎖線で示されるように、ジョイントフォークＢ３０１の昇降に応じて移動可能にインク供給路Ｃ１０３ＳＹ、Ｃ１０３ＳＭ、および、Ｃ１０３ＳＣにより支持されている。
【００６７】
ジョイントＣ１０５は、インク供給路Ｃ１０３ＳＹ、Ｃ１０３ＳＭ、および、Ｃ１０３ＳＣの他端がそれぞれ、接続される液室Ｃ１０５ｓｙ、Ｃ１０５ｓｍ、Ｃ１０５ｓｃを内部に有している。各液室Ｃ１０５ｓｙ、Ｃ１０５ｓｍ、Ｃ１０５ｓｃの外郭は、例えば、ゴム材料で成形されている。インク供給の場合、各液室Ｃ１０５ｓｙ、Ｃ１０５ｓｍ、Ｃ１０５ｓｃの上部に、上述のニードルＢ１２２の先端が貫通することにより行われる。また、そのインク供給が終了しニードルＢ１２２の先端が離隔した後、各液室Ｃ１０５ｓｙ、Ｃ１０５ｓｍ、Ｃ１０５ｓｃの上部に形成された孔は、その弾性力により自己シールされる。
【００６８】
インク供給／廃液回収部Ｃ１１２ＡにおいてインクパックＣ１０３に連なるインク供給路Ｃ１０３ＳＹ、Ｃ１０３ＳＭ、および、Ｃ１０３ＳＣに隣接してワイパーＣ１０６が図１６において二点鎖線で示されるように、移動可能に設けられている。ワイパーＣ１０６は、例えば、インクを吸収するウレタン材料で作られている。ワイパーＣ１０６の長手方向の長さは、例えば、記録ヘッドＢ１２０のインク吐出口Ｂ１２１の配列長よりも大に設定されている。
【００６９】
メディアパックＣ１００が装着されるとき、ワイパーＣ１０６に上述のワイパーリフタＢ３１６の先端が矢印の示す方向、即ち、メディアパックＣ１００を離脱方向に沿ってその開口Ｃ１０６ａを介し係合される。従って、ワイパーリフタＢ３１６が所定のタイミングで作動状態とされるとき、ワイパーＣ１０６の平坦面が動され、移動中の記録ヘッドＢ１２０のインク吐出口面に摺接せしめられる。その結果、記録ヘッドＢ１２０のインク吐出口面に付着したインク等がワイパーＣ１０６により拭われことにより、そのインク吐出口面が清浄化されることとなる。
【００７０】
また、インク供給／廃液回収部Ｃ１１２ＡにおいてワイパーＣ１０６を挟んでジョイントＣ１０５に相対向してインク吸収体Ｃ１０７が設けられている。インク吸収体Ｃ１０７は、インク供給／廃液回収部Ｃ１１２Ａの約半分の領域を占有している。インク吸収体Ｃ１０７は、収容されるプリント媒体Ｃ１０４がすべて使用されるまでに排出されるであろうインクを十分吸収可能な材料で成形されている。インク吸収体Ｃ１０７には、その周囲に設けられる導入孔Ｃ１０７ａに接続される廃液ジョイントＢ３１３を通じて使用済みのインクが供給される。
【００７１】
メディアパックＣ１００内に配されたクリーニング部材（ワイパーＣ１０６）と、廃インク吸収体（インク吸収体Ｃ１０７）と、ジョイントＣ１０５とは、メディアパックＣ１００の記録装置に対する装着方向前方の先端領域に配され、その両端領域には、前記ジョイントＣ１０５と廃インク吸収体とが設けられ、その間の領域には、クリーニング部材が配置されている。クリーニング部材と廃インク吸収体とを近接配置させることで回収されるインクをメディアパックＣ１００内の特定個所に集中して集めていることで、廃インクの取り扱いを容易に出来る。そして、メディアパックＣ１００には摺動可能に設けられるシャッターＣ１０２が備えられており、前記ジョイントＣ１０５、廃インク吸収体、クリーニング部材が配された領域は、前記メディアパックＣ１００の前記記録装置に対する着脱動作に応じて、前記シャッターＣ１０２によって遮蔽または開放される領域となっている。インクに関連した部材をシャッターＣ１０２で覆い、装置に装着し操作者の手が直接触れることが出来なくなった状態で開放する構成にすることでメディアパックＣ１００単体の取り扱い性を向上できる。また、情報格納手段であるＥＥＰＲＯＭ２２４は、ジョイントＣ１０５近傍の領域に配されており、コンタクトパッド部２２６はメディアパックＣ１００の外表面に露出して設けられている。このようにコンタクトパッド部２２６がメディアパックＣ１００の外に設けられているため、インクが回り込む恐れが低くなるため、ジョイントＣ１０５の近傍に配置されることを可能にする。
【００７２】
なお、ジョイントＣ１０５は３つのインクに応じて３つの液室を有しているが、これらの液室はメディアパックＣ１００の長手方向に沿って配置されている。このように配置することでインクパックＣ１００からの経路の距離をほぼ等しくすることが出来、インク供給性をいずれのインクに対しても等価に出来る。また、このような配置とすることで、記録ヘッド側のニードルの配置も縦並びとなり記録ヘッドの走査に必要な領域を省スペース化できる。
【００７３】
さらに、インク／メディア収容部Ｃ１１２Ｂにおいては、給紙ローラＣ１１０が、その軸線がメディアパックＣ１００の長手方向に対し略直交するように用紙送出部Ｃ１１２Ｃ側に隣接して設けられている。その給紙ローラＣ１１０の両端は、それぞれ、軸受け部Ｃ１１０ａおよびＣ１１０ｂにより回動可能に支持されている。なお、給紙ローラＣ１１０は、廃インク吸収体（インク吸収体Ｃ１０７）の近傍領域に配されている。特に記録紙を送るための機構はインクが付着するこれを嫌うため、廃インク吸収体の近傍に配置することでインクが付着する虞が低減する。
【００７４】
給紙ローラＣ１１０の一方の端部には、連結部Ｃ１１０ａとしての後述するクラッチ軸部Ｃ１１０ＣＳが一体に形成されている。
【００７５】
給紙ローラＣ１１０とインク吸収体Ｃ１０７との間には、メディアホルダーＣ１１４に保持されるプリント媒体Ｃ１０４の束の端部を規制する隙間分離部Ｃ１１８がプリント媒体Ｃ１０４の積載される方向に沿って延在している。用紙送出Ｃ１１２Ｃにおける隙間分離部Ｃ１１８は、縦壁部Ｃ１１８ａと底面部Ｃ１１８ｃとにより構成され、前記縦壁部Ｃ１１８ａと底面部Ｃ１１８ｃの間には、１枚のプリント媒体Ｃ１０４のみが通過し得る送出路Ｃ１１８ｂが形成されている。これにより、給紙ローラＣ１１０によりメディアホルダーＣ１１４から送出されたプリント媒体Ｃ１０４は、送出路Ｃ１１８ｂを通過することにより１枚ずつ分離されプリンタ部Ｂ１００側に搬送されることとなる。
【００７６】
隙間分離部Ｃ１１８とインク吸収体Ｃ１０７との間であって、パックベースＣ１１２の周縁には、メディアパックＣ１００の装着のとき、ピンチローラＢ１０２が配される円弧部Ｃ１１２ｎが相対向してそれぞれ形成されている。一方の円弧部Ｃ１１２ｎの周縁には、後述するローラ保持アームに係合する係合爪部Ｃ１０が形成されている。また、図１５に示されるように、係合爪部Ｃ１２０が設けられた部分に隣接して後述するロック機構用の凹部Ｃ１１２ａが形成されている。その凹部Ｃ１１２ａには、図示が省略されるロック機構がロック状態のとき、係合片が挿入される。
【００７７】
さらに、用紙送出部Ｃ１１２Ｃには、図１６に示されるように、上述のＥＥＰＯＭ２２４が配置されている。パックベースＣ１１２の底面におけるＥＥＰＲＯＭ２２４に対応する部分には、図１７に示されるように、ＥＥＰＲＯＭ２２４に関連する制御データ群の授受が行われるコンタクトパッド２２６が設けられている。コンタクトパッド２２６は、プリンタ部Ｂ１００のコンタクトに電気的に接続され得るように開口部ＣＢを介して外部に露出している。
【００７８】
メディアホルダーＣ１１４は、図１５、１７、および１８に示されるように、積載されたプリント媒体Ｃ１０４の全面を一方側から支持する底部Ｃ１１４Ｂと、その底部Ｃ１１４Ｂの両端にそれぞれ連なり折り曲げられて底部Ｃ１１４Ｂに対し略平行に形成される押圧部Ｃ１１４ＴＡ、およびＣ１１４ＴＢと、押圧部Ｃ１１４ＴＡの一方の端部に形成されプリント媒体Ｃ１０４の外部への不所望な飛び出しを規制する位置規制部Ｃ１１４Ｆとを含んで構成される。なお、図１７においては、プリント媒体Ｃ１０４が収容されていないメディアホルダーＣ１１４の空状態を示す。
【００７９】
底部Ｃ１１４Ｂは、プリント媒体Ｃ１０４の給紙ローラＣ１１０および隙間分離部Ｃ１１８に対する相対的な高さ基準となる凸部Ｃ１１４ｂ、および、一対の爪部Ｃ１１４ｂｎを有している。その一対の爪部Ｃ１１４ｂｎは、メディアホルダーＣ１１４がパックベースＣ１１２内に収容されるとき、パックベースＣ１１２の所定の係止部に係止される。
【００８０】
押圧部Ｃ１１４ＴＡは、図１８に示されるように、メディアホルダーＣ１１４内でのプリント媒体Ｃ１０４の高さ方向のがたつきを抑えるための押圧片Ｃ１１４ｔａ、及びＣ１１４ｔｄを有し、押圧部Ｃ１１４ＴＢは押圧片Ｃ１１４ｔｂを有している。また、押圧片Ｃ１１４ｔａ、Ｃ１１４ｔｂ及びＣ１１４ｔｄ近傍には、それぞれ、アッパカバーＣ１１６に圧接しメディアパックＣ１００内でのメディアホルダーＣ１１４のがたつきを防止するための押圧小片Ｃ１１４ｔｃ、Ｃ１１４ｔｅが設けられ、押圧部Ｃ１１４ＴＢには、押圧小片Ｃ１１４ｔｆが設けられている。
【００８１】
また、押圧部Ｃ１１４ＴＢの基端部側には、図１５に示めされるように、収容されるプリント媒体Ｃ１０４の幅方向の位置を規制する位置規制片Ｃ１１４ｔｈが互いに離隔して長手方向に沿った２箇所に形成されている。
【００８２】
位置規制部Ｃ１１４Ｆの基端部は、押圧部Ｃ１１４ＴＡの側面部に連結されている。また、図１８に示されるように、位置規制部Ｃ１１４Ｆの端部と底部Ｃ１１４Ｂとの間には、矢印Ｃの示す方向にプリント媒体Ｃ１０４が順次通過可能な隙間ＣＬが形成されている。
【００８３】
底部Ｃ１１４Ｂにおける給紙ローラＣ１１０に対向する部分は、図１７に示されるように、切欠きＫａが形成されている。これにより、プリント媒体Ｃ１０４を保持するメディアホルダーＣ１１４が装着されるとき、給紙ローラＣ１１０の外周面が直接的にプリント媒体Ｃ１０４の表面に接触することとなる。
【００８４】
プリント媒体Ｃ１０４の最上位部には、プリント媒体Ｃ１０４全体を覆うように受圧プレートＣ１０８が配されている。受圧プレートＣ１０８は、例えば、樹脂材料で薄板状に成形されている。また、受圧プレートＣ１０８は、給紙のとき、後述する圧板ヘッドＢ２１３に当接する凸部Ｃ１０８ａを有している。圧板ヘッドＢ２１３に対応して隆起して設けられる凸部Ｃ１０８ａは、アッパカバーＣ１１６の外面よりも突き出ない厚さを有している。なお、凸部Ｃ１０８ａは、受圧プレートＣ１０８に一体として形成されても、または、別個に成形されたものが接着により固定されるものであってもよい。
【００８５】
アッパカバーＣ１１６は、図１７に示されるように、パックベースＣ１１２に収容されるプリント媒体Ｃ１０４およびメディアホルダーＣ１１４全体を覆うよに配されている。アッパカバーＣ１１６の周縁には、パックベースＣ１１２の所定位置に係合される爪部Ｃ１１６Ｎａ、Ｃ１１６Ｎｂ、Ｃ１１６Ｎｃ、およびＣ１１６Ｎｄが設けられている。
【００８６】
アッパカバーＣ１１６における受圧プレートＣ１０８の凸部Ｃ１０８ａに対向する位置には、給紙のとき、圧板ヘッドＢ２１３が通過する開口部Ｃ１１６Ｈが形成されている。開口部Ｃ１１６Ｈの周縁には、アッパカバーＣ１１６の長手方向に延在する溝Ｃ１１６Ｈｂ、および、溝Ｃ１１６Ｈｄが形成されている。溝Ｃ１６Ｈｂには、後述するウインドーシャッターＣ１２６のストッパ部Ｃ１２６ａが摺動可能に係合される。また、溝Ｃ１１６Ｈｄには、後述するウインドーシャッターＣ１２４のストッパ部Ｃ１２４ａが摺動可能に係合される。
【００８７】
シャッターＣ１０２は、図１５、図１７、および、図１９に示されるように、窓部Ｃ１０２Ａを有する天井部Ｃ１０２Ｔと、天井部Ｃ１０２Ｔの両端にそれぞれ連なる側面部Ｃ１０２ＳＬおよびＣ１０２ＳＲと、側面部Ｃ１０２ＳＬと側面部Ｃ１０２ＳＲとを連結する前端部Ｃ１０２Ｆとから構成されている。
【００８８】
天井部Ｃ１０２Ｔにおける窓部Ｃ１０２Ａと上述したアッパカバーＣ１１６との間には、図１７および図１９に示されるように、窓部Ｃ１０２Ａを選択的に覆う二つのウインドーシャッターＣ１２４およびＣ１２６が移動可能に設けられている。
【００８９】
ウインドーシャッターＣ１２６は、アッパカバーＣ１１６の外面上を摺動可能に配されている。そのストッパ部Ｃ１２６ａは、シャッターＣ１０２がパックベースＣ１１２に対し後退し全開放状態とするとき、そのウインドーシャッターＣ１２６の前端部Ｃ１２６ｅがアッパカバーＣ１１６の端部に係合されることにより、停止せしめられる。また、ストッパ部Ｃ１２６ａは、シャッターＣ１０２がパックベースＣ１１２に対し前進し遮蔽状態とされるとき、その溝Ｃ１１６Ｈｂの他方の端部Ｃ１１６Ｈａに係合されることにより、停止せしめられる。ウインドーシャッターＣ１２６は、天井部Ｃ１０２Ｔにおける窓部Ｃ１０２Ａに対応して圧板ヘッドＢ２１３が通過する開口部Ｃ１２６ｈを有している。開口部Ｃ１２６ｈは、シャッターＣ１０２がパックベースＣ１１２に対し後退し全開放状態とするとき、上述の窓部Ｃ１０２Ａに連通するものとされる。さらに、ウインドーシャッターＣ１２６は、アッパカバーＣ１１６の溝Ｃ１１６Ｈｄに対向して細長い溝Ｃ１２６ｇを有している。溝Ｃ１２６ｇには、ウインドーシャッターＣ１２４のストッパ部Ｃ１２４ａが係合されている。
【００９０】
また、ウインドーシャッターＣ１２６とシャッターＣ１０２の内面との間には、ウインドーシャッターＣ１２４がウインドーシャッターＣ１２６に対し相対的に移動可能に配されている。ウインドーシャッターＣ１２４は、シャッターＣ１０２の内面に固定されている。
【００９１】
ウインドーシャッターＣ１２４は、図示が省略されるが、シャッターＣ１０２がパックベースＣ１１２に対し後退し全開放状態とするとき、上述の窓部Ｃ１０２Ａおよび開口部Ｃ１２６ｈに連通するものとされる開口部を有している。
【００９２】
また、ウインドーシャッターＣ１２４は、シャッターＣ１０２とともに後退せしめられるとき、アッパカバーＣ１１６の端部に係合する爪部Ｃ１２４ｎａ，およびＣ１２４ｎｂを有している。
【００９３】
従って、シャッターＣ１０２がパックベースＣ１１２に対し後退し全開放状態とするとき、シャッターＣ１０２の窓部Ｃ１０２Ａは、ウインドーシャッターＣ１２６の開口部Ｃ１２６ｈおよびウインドーシャッターＣ１２４の開口部、アッパカバーＣ１１６の開口部Ｃ１１６Ｈを通じて上述の受圧プレートＣ１０８の凸部Ｃ１０８ａに対し連通することとなる。一方、シャッターＣ１０２がパックベースＣ１１２に対し前進し遮蔽状態とされるとき、シャッターＣ１０２の窓部Ｃ１０２Ａは、遮蔽される。
【００９４】
即ち、ウインドーシャッターＣ１２４はシャッターＣ１０２とともに前進せしめられ、また、ウインドーシャッターＣ１２６はストッパ部Ｃ１２４ａによりウインドーシャッターＣ１２４に係合されて前進せしめられた後、そのストッパ部Ｃ１２６ａがアッパカバーＣ１１６の端部Ｃ１１６Ｈａに係合することによって、停止せしめられることにより、ウインドーシャッターＣ１２４の開口部がウインドーシャッターＣ１２６により遮蔽されることとなる。
【００９５】
側面部Ｃ１０２ＳＬおよびＣ１０２ＳＲの下端には、図１９に示されるように、それぞれ、上述のパックベースＣ１１２の案内部ＣＳＧに摺動可能に係合する屈曲部Ｃ１０２ＥＬおよびＣ１０２ＥＲが形成されている。
【００９６】
前端部Ｃ１０２Ｆは、その一部に切欠部Ｃ１０２Ｎを有している。その切欠部Ｃ１０２Ｎには、シャッターＣ１０２が前進した位置、即ち、遮蔽位置であるとき、前端部Ｃ１０２ＦにおけるパックベースＣ１１２との隙間を覆うサブシャッターＣ１２２が設けられている。コ字状のサブシャッターＣ１２２は、図１９に示されるように、その両端部が側面部Ｃ１０２ＳＬおよびＣ１０２ＳＲの内側にそれぞれ回動可能に支持されている。サブシャッターＣ１２２における側面部Ｃ１０２ＳＬ側の回動支点Ｃ１２２Ｐの近傍には、図１９および図２０に示されるように、開閉レバーＣ１２８が設けられている。開閉レバーＣ１２８は、側面部Ｃ１０２ＳＲの内面とサブシャッターＣ１２２の一端部との間に回動可能に配されている。開閉レバーＣ１２８は、側面部Ｃ１０２ＳＲの内面に設けられる支持軸Ｃ１３０に回動可能に支持されている。開閉レバーＣ１２８は、サブシャッターＣ１２２の一方の端部の切欠部Ｃ１２２ｅに係合される被係合部Ｃ１２８ａと、被係合部Ｃ１２８ａに対し所定の角度、離隔した位置に形成される当接部Ｃ１２８ｂとを有している。また、支持軸Ｃ１３０には、図２０において開閉レバーＣ１２８を矢印Ｏの示す方向とは反対方向に付勢する捩りコイルバネＣ１３０が巻装されている。
【００９７】
さらに、側面部Ｃ１０２ＳＲの後方側に設けられる係止部ＳＳには、図１９に示されるように、上述の溝ＣＷＧに配されるリターンスプリングＣ１３２の他端が係止されている。
【００９８】
一方、側面部Ｃ１０２ＳＬには、シャッターＣ１０２が後退時、後述するクラッチ軸部Ｃ１１０ＣＳに噛み合うクラッチ軸部が通過する透孔Ｃ１０２Ｌａが形成されている。
【００９９】
このような構成により、メディアパックＣ１００が装着される場合、図２１に示されるように、その開閉レバーＣ１２８の当接部Ｃ１２８ｂが上述のシャーシＢ３２３の突起部Ｂ３２３Ｅに当接されるとき、シャッターＣ１０２がリターンスプリングＣ１３２の付勢力に抗して後退し、さらに図２０に二点鎖線で示されるように、サブシャッターＣ１２２が捩りコイルバネＣ１３０の付勢力に抗して回動せしめられる。
【０１００】
これにより、シャッターＣ１０２が後退せしめられるとき、開閉レバーＣ１２８が図２０における矢印Ｏの示す方向に回動せしめられることによって、サブシャッターＣ１２２が矢印Ｏの示す方向に回動され二点鎖線で示されるように、シャッターＣ１０２の内側に格納される。その後、シャッターＣ１０２の後端は、ストッパ部ＣＳＳに当接される。その際、パックベースＣ１１２における用紙送出部Ｃ１１２Ｃ、および、インク供給／廃液回収部Ｃ１１２Ａのみがプリンタ部Ｂ１００に対し開放されることとなる。また、パックベースＣ１１２は、図示されない板ばねにより付勢されプリンタ部Ｂ１００に対し保持される。
【０１０１】
一方、メディアパックＣ１００が取り外される場合、パックベースＣ１１２が図２１において矢印Ｒの示す方向に沿って引き抜かれるとき、その開閉レバーＣ１２８の当接部Ｃ１２８ｂが上述のシャーシＢ３２３の突起部Ｂ３２３に対し離隔される。これにより、シャッターＣ１０２は、リターンスプリングＣ１３２の付勢力によりパックベースＣ１１２に対し徐々に前進せしめられ、開閉レバーＣ１２８は、捩りコイルバネＣ１３０の付勢力により図２０において矢印Ｏの示す方向とは反対方向に回動され、また、サブシャッターＣ１２２も図２０に示されるように、シャッターＣ１０２の内側から外部に向って回動せしめられる。
【０１０２】
従って、メディアパックＣ１００が密閉された状態とされる。
【０１０３】
図２２は、上述の搬送モータＭ００２からの動力が伝達される動力伝達経路の全体構成を、メディアパックＣ１００とともに示す。
【０１０４】
搬送モータＭ００２からの動力は、図２２に示されるように、搬送モータＭ００２の出力軸に固定されるピニオンギアＢ２０８、シャーシＢ３２３に回動可能に支持される段ギアであるギアＢ２１０、および、ギアＢ２１６を介して上述の中継ギアＢ２０３に伝達される。なお、搬送モータＭ００２は、後述するＬＦローラＢ１０１、メディアパックＣ１００における給紙動作、圧板ヘッドリンク機構部Ｂ２７０、および、ロック機構Ｂ２４６の動作のための共通の駆動源とされる。
【０１０５】
中継ギアＢ２０３に伝達された動力は、図２４に示されるように、中継ギアＢ２０３に噛み合う上述の排紙ローラギアＢ２０２、および、ＬＦローラギアＢ２０４に伝達される。
【０１０６】
ＬＦローラギアＢ２０４に連結されＬＦローラＢ１０１を支持するローラ軸Ｂ１０１Ｓの両端は、それぞれ、図２３に示されるように、シャーシＢ３２３の側壁部Ｂ３２３Ｒの軸受け部、及び、シャーシＢ３２３の内側に配されるサポート部材Ｂ３２５Ｌの軸受け部により回動可能に支持されている。
【０１０７】
ＬＦローラＢ１０１の両端部と側壁部Ｂ３２３Ｒ及びサポート部材Ｂ３２５Ｌの軸受け部との間には、それぞれ、薄板状のローラ保持アームＢ１１２およびＢ１１４が配されている。
【０１０８】
ローラ保持アームＢ１１２は、その透孔がローラ軸Ｂ１０１Ｓに嵌合されて回可能に支持されている。また、ローラ保持アームＢ１１４も、同様にその透孔がローラ軸Ｂ１０１Ｓに嵌合されて回動可能に支持されている。ローラ保持アームＢ１１２およびローラ保持アームＢ１１４の一端には、上述のピンチローラＢ１０２の両端がそれぞれ自転可能に挟持されている。
【０１０９】
ローラ保持アームＢ１１２は、図２５に示されるように、折曲部Ｂ１１２ａを外周縁部に一箇所、有している。折曲部Ｂ１１２ａは、図２６に示されるように、ＬＦピンチローラＢ１０２とＬＦローラＢ１０１との間の中間部に形成されている。その折曲部Ｂ１１２ａは、装着される上述したメディアパックＣ１００のパックベースＣ１１２における係合爪部Ｃ１２０により押圧される。
【０１１０】
また、ローラ保持アームＢ１１２及びＢ１１４は、図２６で示す状態では図示が省略されるトグル機構等により、図２４における矢印Ｕの示す方向に付勢されている。これにより、ＬＦピンチローラＢ１０２およびローラ保持アームＢ１１２及びＢ１１４は、装着される上述したメディアパックＣ１００のパックベースＣ１１２におけるインク供給／廃液回収部Ｃ１１２Ａがその下方を通過し得るように待機位置に保持される。従って、ＬＦピンチローラＢ１０２およびローラ保持アームＢ１１２及びＢ１１４の下方にシャーシＢ３２３内に通じる給紙搬送路ＣＲが開放されることとなる。
【０１１１】
一方、図２７に示されるように、メディアパックＣ１００がプリンタ部Ｂ１００内に装着されるとき、係合爪部Ｃ１２０がローラ保持アームＢ１１２の折曲部Ｂ１１２ａに当接された後、さらに、図２８に示されるように、パックベースＣ１１２が給紙搬送路ＣＲ内に挿入されることにより、ＬＦピンチローラＢ１０２およびローラ保持アームＢ１１２及びＢ１１４がトグル機構の付勢力に抗して反時計回り方向に回動せしめられる。その結果、ＬＦピンチローラＢ１０２は、図２８に示されるように、円弧部Ｃ１１２ｎ内に収容されるとともに、給紙搬送路ＣＲを横切り、プリント媒体Ｃ１０４の搬送可能状態へと移行する。そして、メディアパックＣ１００内の給紙ローラＣ１１０が回動されるとき、パックベースＣ１１２側に最も近接したプリンタ媒体Ｃ１０４が図２８において二点鎖線で示されるように隙間分離部Ｃ１１８で分離されて送出され、ＬＦローラＢ１０１とＬＦピンチローラＢ１０２とに挟持されて排紙ローラＢ２０１側に搬送される。
【０１１２】
また、メディアパックＣ１００がプリンタ部Ｂ１００から取り外される場合、パックベースＣ１１２の円弧部Ｃ１１２ｎが図２８において矢印Ｒの示す方向に引き抜かれることにより、ＬＦピンチローラＢ１０２およびローラ保持アームＢ１１２（Ｂ１１４）が時計回り方向に回動され上述のトグル機構の付勢力により待機位置に戻される。
【０１１３】
なお、上述の例に限られることなく、ＬＦピンチローラＢ１０２およびローラ保持アームＢ１１２は、メディアパックＣ１００の有無をあらわす検出出力に基づいて作動する独立した駆動源からの動力により回動されてもよい。
【０１１４】
上述のローラ軸Ｂ１０１Ｓには、ギアＢ２１４が図２２および図２３に示されるように、ＬＦローラギアＢ２０４とＬＦローラＢ１０１の端部との間に固定されている。ギアＢ２１４は、ローラ軸Ｂ１０１Ｓに対向配置されるカム軸Ｂ２１８に設けられる切替ギアＢ２１６に噛み合わされている。
【０１１５】
そのカム軸Ｂ２１８は、サポート部材Ｂ３２５Ｒに一体的に設けられ、切替カムＢ２１２及び切替ギアＢ２１６を回転自在に軸支している。切替カムＢ２１２の外周部には、所定のカム溝Ｂ２１２ｇが円周方向に沿って全周に亘って形成されている。そのカム溝Ｂ２１２ｇは、所定のカム曲線に対応する軌道を形成している。カム溝Ｂ２１２ｇには、切替スライダＢ２１１のガイドピンが係合されている。切替スライダＢ２１１は、切替カムＢ２１２の回動に応じてそのガイドピンがカム溝Ｂ２１８ｇに案内され移動せしめられることにより、摺動可能に支持されている。また、切替スライダＢ２１１の端部には、後述する切替アームＢ２２０が当接されている。
【０１１６】
切替カムＢ２１２の端部と切替ギアＢ２１６とは、図３０に示されるように、クラッチスプリングＢ２２２を介して連結されている。クラッチスプリングＢ２２２は一方向クラッチの機能を有するもので、切替ギアＢ２１６が矢印Ｆが示す方向、即ち、順方向に回転せしめられるとき、スプリングの巻き（締め付け）が緩むことによりカム軸Ｂ２１８の端部に対し空回りし、一方、切替ギアＢ２１６矢印Ｒが示す方向、即ち、逆方向に回転せしめられるとき、カム軸Ｂ２１８の端部に対しスプリングの巻き（締め付け）が絞まることにより半径方向に収縮し連結状態とされる。従って、切替ギアＢ２１６が矢印Ｆが示す方向に回転せしめられるとき、切替ギアＢ２１６からの回動力は、カム軸Ｂ２１８の端部に対し伝達されず、また、切替ギアＢ２１６が矢印Ｒが示す方向に回転せしめられるとき、切替ギアＢ２１６からの回動力は、カム軸Ｂ２１８の端部に対し伝達されることとなる。
【０１１７】
切替ギアＢ２１６は、また、図３０に示されるように、スライド軸Ｂ２２４の一端部に固定される駆動ギアＢ２２６に噛み合わされている。スライド軸Ｂ２２４には、その軸線に沿って摺動可能にスライドギアＢ２２８が設けられている。スライドギアＢ２２８は、図２２および図２９に示されるスライドギアホルダーＢ２３０により保持されている。スライドギアホルダーＢ２３０は、後述する切替アームＢ２２０に当接されている。
【０１１８】
スライドギアホルダーＢ２３０およびスライドギアＢ２２８は、図２２に示めされるように、切替スライダＢ２１１および切替アームＢ２２０の変位に応じて選択的に所定の第１の位置、第２の位置、第３の位置に配される。即ち、その第１の位置とは、切替スライダＢ２１１が所定のホームポジションに配されスライドギアホルダーＢ２３０が他のギアと噛み合わない初期位置にある状態をいう。第２の位置とは、切替スライダＢ２１１が所定量移動せしめられ停止されるとき、スライドギアＢ２２８が後述するロック機構の駆動ギアＢ２３２に噛み合う状態をいう。さらに、第３の位置とは、切替スライダＢ２１１がさらに所定量移動せしめられ停止されるとき、後述するラチェット支持軸Ｂ２３６に設けられる駆動ギアＢ２３４に噛み合う状態をいう。
【０１１９】
切替アームＢ２２０は、図２９に示されるように、その一端の透孔２２０ａに支持軸Ｂ２３７が挿入されることにより回動可能に支持されている。その支持軸Ｂ２３７の両端は、サポート部材Ｂ３２５Ｒに固定されるブラケット部材Ｂ２３５の透孔Ｂ２３５ａにそれぞれ挿入されることにより係止されている。また、支持軸Ｂ２３７におけるブラケット部材Ｂ２３５から突出した両端部は、それぞれ、止め輪ＳＲで軸線方向の移動が規制されている。支持軸Ｂ２３７には、切替アームＢ２２０を図２９および３１において時計方向に付勢するリターンスプリングＢ２３８が設けられている。
【０１２０】
切替アームＢ２２０には、スライドギアホルダーＢ２３０の被係合部に係合される連結軸Ｂ２４０が設けられている。従って、スライドギアホルダーＢ２３０は、スライドギアＢ２２８を伴って切替スライダＢ２１１の移動に応じてリターンスプリングＢ２３８の付勢力に抗して切替アームＢ２２０を介し所定の位置に移動せしめられる。
【０１２１】
また、切替スライダＢ２１１には、図２９に示されるように、ラチェット支持軸Ｂ２３６をその軸線方向に押圧する押圧部材Ｂ２４４が固定されている。押圧部材Ｂ２４４は、ラチェット支持軸Ｂ２３６の一端に対し所定距離離隔し対向する位置に押圧面Ｂ２４４Ｓを有している。押圧部材Ｂ２４４とラチェット支持軸Ｂ２３６との間には、ホームポジションセンサＢ２６０により検知される被検出部材（遮蔽板）Ｂ２６２が、サポート部材Ｂ３２５Ｒに固定されるギアハウジングＢ２４２に摺動可能に支持されている。ホームポジションセンサＢ２６０は、切替スライダＢ２１１がホームポジションにあるか否かを検出するものとされる。
【０１２２】
Ｄ形の断面形状を有するラチェット支持軸Ｂ２３６は、ギアハウジングＢ２４２にその軸線方向に沿って移動可能に、かつ、回動可能に支持されている。ラチェット支持軸Ｂ２３６の他端には、図３０に示されるように、メディアパックＣ１００の給紙ローラＣ１１０におけるクラッチ軸部Ｃ１１０ＣＳに選択的に連結されるクラッチ爪部Ｂ２３６Ｒが形成されている。ラチェット支持軸Ｂ２３６の一端とギアハウジングＢ２４２との間には、図示が省略されるリターンスプリングが設けられている。これにより、ラチェット支持軸Ｂ２３６は、給紙ローラＣ１１０におけるクラッチ軸部Ｃ１１０ＣＳに対し離脱した後、リターンスプリングの付勢力により初期位置に戻されることとなる。なお、駆動ギアＢ２３４は、図３３に示されるように、ラチェット支持軸Ｂ２３６が挿入されるＤ形の透孔を有し、ギアハウジングＢ２４２内においてその軸線方向に対し位置規制されている。
【０１２３】
スライドギアＢ２２８からの回動力をロック機構Ｂ２４６に伝達する駆動ギアＢ２３２は、図２５及び図３０に示されるように、切替カムＢ２１２の下方に回動可能に配されている。ロック機構Ｂ２４６は、駆動ギアＢ２３２を有する連結軸に固定されるカム部材Ｂ４００と、そのカム部材Ｂ４００の回転により揺動されてロック状態またはアンロック状態とされるロック用片Ｂ４０１とを含んで構成されている。ロック用片Ｂ４０１は駆動ギアＢ２３２の回転によりカム部材Ｂ４００が回転されることにより、ロック用片Ｂ４０１のカム当接部Ｂ４０１ａがカム部材Ｂ４００のカム面Ｂ４００ａに沿って移動させられることで、ロック状態及びアンロック状態をとるよう構成されている。ロック機構Ｂ２４６がロック状態とされる場合、そのロック用片Ｂ４０１は、上述したメディアパックＣ１００の凹部Ｃ１１２ａに係合される。また、ロック機構Ｂ２４６がアンロック状態とされる場合、そのロック用片Ｂ４０１は、メディアパックＣ１００の凹部Ｃ１１２ａに対し非係合状態とされる。また、メカセンサＢ４０２は、ロック用片Ｂ４０１の状態を検出するためのもので、図２５で示すロック状態ではロック用片Ｂ４０１とメカセンサＢ４０２とは離間しており、メカセンサＢ４０２は、アンロック状態に移行するとき、ロック用片Ｂ４０１がメカセンサＢ４０２を押圧し、確実にアンロック状態であることを検知できるものである。
【０１２４】
さらに、切替アームＢ２２０の他端は、図３１に示されるように、圧板ヘッドリンク機構部におけるリンク部材Ｂ２４８の一端に係合されている。
【０１２５】
圧板ヘッドリンク機構部Ｂ２７０は、上述の切替スライダＢ２１１により揺動される切替アームＢ２２０と、上述の圧板ヘッドＢ２１３を固定ピンを介し回動可能に支持するアーム部材Ｂ２５０と、切替アームＢ２２０の他端とアーム部材Ｂ２５０の基端部との間に配され切替アームＢ２２０の揺動に応じてアーム部材Ｂ２５０の基端部を昇降させるリンク部材Ｂ２４８とを含んで構成されている。
【０１２６】
リンク部材Ｂ２４８は、図２９に示されるように、ブラケット部材Ｂ２３５に固定される支持軸Ｂ２５２に回動可能に支持されている。リンク部材Ｂ２４８の一端は切替アームＢ２２０の他端に係合され、また、リンク部材Ｂ２４８の他端は連結ピンＢ２５４を介してアーム部材Ｂ２５０の基端部に連結されている。
支持軸Ｂ２５２には、図２９においてリンク部材Ｂ２４８を矢印Ｕに示す方向に付勢する捩りコイルばねＢ２５６が巻装されている。また、連結ピンＢ２５４には、圧板ヘッドＢ２１３を上述した受圧プレートＣ１０８に対し所定の圧力で付勢する捩りコイルばねＢ２５８が巻装されている。
【０１２７】
従って、図３１において、切替アームＢ２２０が反時計回り方向に揺動されるとき、リンク部材Ｂ２４８の一端は時計回り方向に回動されるのでアーム部材Ｂ２５０の先端部が、圧板ヘッドＢ２１３を上述した受圧プレートＣ１０８に対し近接させることとなる。
【０１２８】
このような構成において、メディアパックＣ１００における給紙動作制御、圧板ヘッドリンク機構部Ｂ２７０、および、ロック機構Ｂ２４６の動作制御を行うにあたり、図１２における上述の第２ＣＰＵ２２０が、モータドライバ２２１を介して搬送モータＭ００２について実行するプログラムの一例を、図３２に示されるフローチャートを参照して説明する。
【０１２９】
図３２に示めされるフローチャートにおいて、スタート後、ステップ１０において、第２ＣＰＵ２２０は、装置本体Ａ００１に備えられるキー操作入力部からの印刷開始の指令および印刷部数を表すデータ、メディアパックＣ１００のコンタクトパッド部２２６からの導通状態をあらわすデータ、および、ホームポジションセンサＢ２６０からの検出出力信号等を取込み、ステップ１１に進む。ステップ１１において、第２ＣＰＵ２２０は、メディアパックＣ１００のコンタクトパッド部２２６からの導通状態をあらわすデータに基づいて装置本体Ａ００１にクリーニングパックＣ１００が装着されたか否か、否であれば次のステップ１２において、メディアパックＣ１００が装着されたか否かを判断する。もし、クリーニングパックＣ１００が装着されていればステップ１３でロック機構動作プログラムを実行し、メディアパックＣ１００が装着されていれば、続くステップ１１４においてロック機構動作プログラムを実行し、パックが何も装着されていなければ、ステップ１０に戻る。
【０１３０】
ステップ１４においてロック機構動作プログラムが実行されることにより、搬送モータＭ００２が作動状態とされ、切替ギアＢ２１６が図３０（図２９）における状態から矢印Ｒの示す方向に所定の角度、回動されて図３４（図３５）における状態へと移行することで、切替スライダＢ２１１のピンＢ２１１ｐがカム面に沿って切替スライダＢ２１１を移動させ、スライドギアＢ２２８が駆動ギアＢ２３２に噛み合わされる。次に、切替ギアＢ２１６が図３４において矢印Ｒの示す方向とは反対方向の矢印Ｆの示す方向にメカセンサＢ４０２からの信号に基づいて所定の角度、回動される。これにより、ロック機構Ｂ２４６が作動状態とされ、メディアパックＣ１００は、プリンタ部Ｂ１００に対しロック状態とされる。従って、記録動作開始直後または記録動作中において、誤ってメディアパックＣ１００がプリンタ部Ｂ１００から引き抜かれる事態が回避されることとなる。
【０１３１】
続いて、第２ＣＰＵ２２０は、ステップ１５において、印刷開始の指令および印刷部数を表すデータに基づいて給紙動作プログラムを実行する。ステップ１５において給紙動作プログラムが実行されることにより、切替ギアＢ２１６が図３４において矢印Ｒの示す方向に所定の角度、回動されて図３６（図３９）に示されるように、スライドギアＢ２２８が駆動ギアＢ２３４に噛み合わされる。その際、切替スライダＢ２１１により押圧部材Ｂ２４４を介して押圧されるラチェット支持軸Ｂ２３６が図３５に示される状態を経て図３６（図３９）に示されるようにメディアパックＣ１００内のクラッチ軸部Ｃ１１０ＣＳに連結される。
【０１３２】
また、圧板ヘッドリンク機構部Ｂ２７０が作動状態とされ、図３７に示されるように、圧板ヘッドＢ２１３がメディアパックＣ１００の受圧プレートＣ１０８に対し離隔した待機状態から図３８および図３９に示されるように、切替アームＢ２２０が所定の最大角度まで揺動されることにより、圧板ヘッドＢ２１３の押圧面が窓部Ｃ１０２Ａを介し受圧プレートＣ１０８の凸部Ｃ１０８ａに当接した後、さらに、捩りコイルばねＢ２５８の付勢力により凸部Ｃ１０８ａを押圧する。
【０１３３】
そして、切替ギアＢ２１６が図３９において矢印Ｆの示す方向に回動されることにより、１枚のプリント媒体Ｃ１０４が、順次、図３３に二点鎖線で示されるように、メディアパックＣ１００から給紙ローラＣ１１０により送出され隙間分離部Ｃ１１８ａにより分離されて送出される。これにより、図４０に示されるように、圧板ヘッドＢ２１３の押圧面が捩りコイルばねＢ２５８の付勢力により凸部Ｃ１０８ａを押圧するので残った１枚のプリント媒体Ｃ１０４も円滑に送出されることとなる。
【０１３４】
従って、給紙ローラＣ１１０の外周面に当接されるプリント媒体Ｃ１０４に対し受圧プレートＣ１０８を介し均一に加圧されるので給紙ローラＣ１１０の外周面とプリント媒体Ｃ１０４との間の摩擦力により確実にプリント媒体Ｃ１０４が送出される。また、プリント媒体Ｃ１０４の全表面積または給紙ローラＣ１１０の大きさに比して小なる押圧面積を有する圧板ヘッドＢ２１３であっても受圧プレートＣ１０８を介しプリント媒体Ｃ１０４を給紙ローラＣ１１０の外周面に確実に押し付けることが可能となる。
【０１３５】
その結果、収容枚数の変化に影響されることなく搬送能力の向上が図られ、また、プリント媒体Ｃ１０４の種類に応じて受圧プレートＣ１０８を適宜設定することにより、搬送能力のばらつきも低減される。
【０１３６】
続いて、第２ＣＰＵ２２０は、ステップ１６において、上述の印刷部数データと内部カウンタとの比較により、所望の印刷が終了したか否かを判断し、印刷が終了した場合、ステップ１７に進み、ロック機構解除プログラムを実行してプログラムを終了する。また、第２ＣＰＵ２２０は、所望の印刷が終了していない場合、ステップ１５に戻る。
【０１３７】
クリーニングパックＣ１００が装着されていてステップ１２に進んだ場合、ロック機構動作プログラムが実行され、次のステップ１８に進む。ステップ１８では、後述するクリーニングプログラムが実行され、ステップ１７に進みロック機構解除プログラムを実行して終了する。
【０１３８】
次に、クリーニングプログラムの詳細を説明をする。このとき記録ヘッドＢ１２０は吸引キャップＢ３１０にキャップされ、ジョイントＣ１０５’はニ−ドルＢ１２２から離れている。まずポンプシリンダＢ３０４を動作させると、キャップ内に負圧が発生し、記録ヘッドＢ１２０内のインクがキャップ内に排出される。記録ヘッドＢ１２０内が空になったら、ジョイントＣ１０５’を駆動し二ードルＢ１２２と連結させる。次に、供給ジョイントＢ３０２を介してキャリッジＢ１０４内を負圧にすると、インクパックＣ１０３内の保守液で記録ヘッドＢ１２０が充填される。水分が蒸発し、増粘または固着したインクが保守液に再溶解するのに十分な時間が経過したら、再び吸引キャップＢ３１０に負圧を発生させ、記録ヘッドＢ１２０の保守液を所定量残して排出する。その後、ワイパーＣ１０６で記録ヘッドＢ１２０のノズル面を清掃する。
【０１３９】
次に、給紙動作プログラムが実行され、吸水体Ｃ１０４’を記録ヘッドＢ１２０に対向する位置まで搬送する。吸水体Ｃ１０４’はＬＦローラＢ１０１やＬＦピンチローラＢ１０２、プラテンＢ１０３に付着していたインクやごみを吸収しながら搬送される。所定量搬送後、記録ヘッドＢ１２０を主走査方向に移動しながら吸水体Ｃ１０４上に保守液を吐出し、吸水体Ｃ１０４に適度な湿度を与える。次に、吸水体Ｃ１０４を副走査方向に所定量、たとえばＬＦローラＢ１０１が全周吸水体Ｃ１０４’の湿らせた部分にあたる量、往復動させた後、排紙する。
【０１４０】
次に、記録ヘッドＢ１２０を吸引キャップＢ３１０上に戻し、前述の吸引排出処理を行い、記録ヘッドＢ１２０に残った保守液をノズルから吸引排出し、さらにインク吸収体Ｃ１０７に排出し、クリーニングプログラムを終了する。
【０１４１】
以上詳述した第一の実施例においては、記録ヘッドＢ１２０内のインクを一旦溶解性に優れた保守液に置換し、ノズルから吸引排出することで増粘・固着したインクや付着したごみを取り除くことができる。また、記録ヘッドＢ１２０から保守液体を吐出して吸水体Ｃ１０４’を湿らせるようにしたため、クリーニングを実施するまでの吸水体Ｃ１０４’を保湿状態に保持する必要もない。
【０１４２】
また、説明において、保守液体、吸水体Ｃ１０４’以外をメディアパックとまったく同じにしているが、これは必須ではない。たとえばインクパックＣ１０３は３つの貯留部に分割されているが、保守液体はどの色に対しても同じであるので大きな貯留部を一つ持つようにして良い。この場合、インクパックの分割がない分より多くの保守液体を保持することができる。
【０１４３】
（第二の実施例）
次に、本発明による第二の実施形について説明する。第二の実施形において、クリーニングパックＣ１００には保守液用インクパックＣ１０３’とジョイントＣ１０５の保守液を供給する部品が省かれ、また、吸水体Ｃ１０４’にはあらかじめ保守液体が含侵されてある。それ以外は、メディアパックＣ１００、クリーニングパックＣ１００’と同じ構成、部品を使用しているので図示による説明を省く。
【０１４４】
第二の実施例においても、ＥＥＰＲＯＭ２２４の内容から装着されたパックがクリーニパックであることが判別されると、図３２に示されるように、ロック機構動作プログラムが実行された後、クリーニングプログラムが開始される。まず、記録ヘッドＢ１２０から吸引キャップＢ３１０を退避させると、給紙ローラＣ１１０を用いて吸水体Ｃ１０４’を一枚分離して給紙する。吸水体Ｃ１０４’が記録ヘッドＢ１２０とオーバーラップする位置まで送られると、記録ヘッドＢ１２０をワイパーＣ１０６に対向する位置まで移動させ、ワイパーＣ１０６を前記機構により上昇させ、吸水体Ｃ１０４’を記録ヘッドＢ１２０の吐出口Ｂ１２１に押し当てる。吸水体Ｃ１０４’には前述のように保守液体が含浸させてあるので、吐出口Ｂ１２１に乾燥固着したインクがあっても、溶解することができる。所定時間経過後、ワイパーＣ１０６を下降させ、吸水体１０４’を排紙し、クリーニングプログラムを終了する。
【０１４５】
第二の実施例においては、吸水体Ｃ１０４’をあらかじめ湿らせてあるため、蒸気が透過しない包装材を使用するなどで乾燥を防止しなければならないが、保守液用インクパックＣ１０３’、ジョイントＣ１０５を省略することで、より安価なクリーニングパックを提供できる。
【０１４６】
次に第三の実施例について説明する。
【０１４７】
第三の実施例の構成を図４１を用いて説明する。図４１は第三の実施例によるクリーニングパックがプリンタ部Ｂ１００に装着されたときの部分斜視図である。吸水体Ｃ１０４’はなく、保守液袋Ｃ１１９が配されている。Ｃ１１９は柔軟な材質から成る保守液袋であり、内部は保守液体が充填され、かつ前期ジョイントＣ１１５に連通している。また、保守液袋Ｃ１１９は図示のとおり、プリンタ部Ｂ１００に装着した状態で圧板ヘッドＢ２１３の下に位置するよう配置されている。
【０１４８】
次にクリーニングプログラムでの動作を説明する。記録ヘッドＢ１２０は吸引キャップＢ３１０にキャップされ、ジョイントＣ１０５’はニードルＢ１２２から離れている。まずポンプシリンダＢ３０４を動作させると、キャップ内に負圧が発生し、記録ヘッドＢ１２０内のインクがキャップ内に排出される。記録ヘッドＢ１２０内が空になったら、ジョイントＣ１０５’を駆動し二ードルＢ１２２と連結させる。次に、供給ジョイントＢ３０２を介してキャリッジＢ１０４内を負圧にし、同時に、前述の給紙動作プログラムと同様の動作を行い、圧板ヘッドＢ２１３を降下させ、保守液袋Ｃ１１９を圧迫する。保守液はキャリッジＢ１０４内の負圧と保守液袋Ｃ１１９の正圧の両方によって記録ヘッドＢ１２０に充填される。この際、水分が蒸発し、増粘または固着したインクが保守液に再溶解するのに十分な時間が経過したら、再び吸引キャップＢ３１０に負圧を発生させ、記録ヘッドＢ１２０の保守液をすべて排出する。その後、ワイパーＣ１０６で記録ヘッドＢ１２０のノズル面を清掃し、クリーニングプログラムを終了する。
【０１４９】
第三の実施例においては、キャリッジ内への保守液の供給をポンプユニットＢ３１５による負圧だけでなく、保守液袋の加圧によっても供給しているため、たとえばニードルＢ１２２内にインクが固着していても確実に保守液をキャリッジ内に供給することができる。
【０１５０】
以上の説明において、情報格納手段をＥＥＰＲＯＭとし、電気的接点を介し情報を読み取ってクリーニングパックの判別を行っていたが、本発明の効果はこの構成に限定されるものではない。たとえばクリーナパックのみ外観部に凹部を設け、凹部の有無を他のスイッチで検知しても良い。また、前期電気的接点の所定の接点をショートするようなパターンを付与した基板をクリーニングパックに設け、ショートが検出されたことでクリーニングパックの検知をしても良い。これらの場合、クリーニングパックにはＥＥＰＲＯＭが不要となり、より安価なクリーニングパックを提供できる。
【０１５１】
また、クリーニングパックが装着されたことを検知し、その場合はプリントスタートの操作でクリーニング動作を開始するようにしたので、専用の操作キーをいたずらに増やすことがない。
【０１５２】
【発明の効果】
以上の説明から明らかなように、本発明に係るメディアパックを備える記録装置、および、電子機器によれば、記録媒体に記録を行う記録ヘッドを有する記録装置と、記録装置に対し着脱可能であり、記録媒体が収容される記録媒体収容部と、記録ヘッドが用いる記録用液体が貯留される液体貯留部と記録装置から排出される記録用液体を保持する廃液保持手段を有するメディアパックからなる記録システムにおいて、少なくとも乾燥したインクの溶解性に優れた保守液体を有し、記録装置から排出する保守液体を保持する廃液保持手段を有するクリーニングパックを、メディアパックと交換的に記録装置に装着可能とし、保守液体によって乾燥したインクを溶解し、その廃液をクリーニングパックの廃液保持手段に排出するようにしたので、メディアパック、記録装置に上記の乾燥したインクを溶解するためのインクや排インクを吸収するための吸収体を余分に持つ必要がなく、したがってメディアパック、記録装置の小型化と安価化が可能となる。
【０１５３】
また、クリーニングパックには吸水性に優れ、かつ、通常のメディアと同様に分離搬送し得るシート状吸水体を内蔵したので、記録装置、及び電子機器に記録装置内の清掃を行うための開口部を設ける必要がなくなり、したがって製品内のレイアウトや外観デザイン上の制約が大幅に軽減できる。
【０１５４】
また、装着されたパックがメディアパックかクリーニングパックかを検知する検知手段を設け、クリーニングパックが装着されたときには、通常の記録動作が禁止され、クリーニング動作をするよう設定したので、特別な操作や操作部材を設けずに手動による回復プログラム実行が可能となった。
【０１５５】
また、前記吸収体に記録ヘッドから保守液を吐出するようにしたので、吸収体を適度に湿らせ、よって記録媒体の搬送路に付着したインク汚れやごみを効果的に清掃することが可能になった。
【０１５６】
また、前記吸収体を記録ヘッドの吐出面に圧接する圧接手段を設けたので、吐出面に付着した乾燥インクやごみを効果的に取り除くことが可能になった。
【図面の簡単な説明】
【図１】本発明を適用可能なプリンタ内蔵カメラの正面図である。
【図２】図１のカメラの斜め前方からの斜視図である。
【図３】図１のカメラの斜め後方からの斜視図である。
【図４】図１のカメラに装着可能なメディアパックの斜視図である。
【図５】図１のカメラの内部における主要構成部の配置関係を示す斜視図である。
【図６】図５におけるプリンタ部の斜視図である。
【図７】図６のプリンタ部の一部を取り外した斜視図である。
【図８】図６のプリンタ部におけるキャリッジの斜視図である。
【図９】図６のプリンタ部におけるプリント媒体搬送系の構成部分の斜視図である。
【図１０】図６のプリンタ部におけるインク供給系の構成部分の斜視図である。
【図１１】図１０のインク供給系の構成部分にメディアパックが装着されたときの平面図である。
【図１２】図１のカメラにおけるカメラ部とプリンタ部の概略ブロック構成図である。
【図１３】図１２のカメラ部における信号処理の説明図である。
【図１４】図１２のプリンタ部における信号処理の説明図である。
【図１５】本発明に係るメディアパックの一例の構成を示す分解斜視図である。
【図１６】図１５に示される例におけるパックベースの全体構成を概略的に示す斜視図である。
【図１７】図１５に示される例における要部をパックベース側から見た分解斜視図である。
【図１８】プリント媒体を保持するメディアホルダーが図１６に示されるパックベースに装着された状態を示す斜視図である。
【図１９】図１５に示される例におけるシャッターを示す斜視図である。
【図２０】図１９に示されるシャッターの部分拡大図である。
【図２１】図１５に示されるメディアパックが装着されたときにおけるシャッターの状態を示す斜視図である。
【図２２】本発明に係るメディアパックを備える記録装置の一例における動力伝達経路を、メディアパックとともに示す動力伝達経路図である。
【図２３】図９に示されるプリンタ部におけるプリント媒体搬送系の構成の一部分の斜視図である。
【図２４】図２３に示される部分を下方からみた部分的な斜視図である。
【図２５】図２３に示される例における搬送駆動部および動力伝達経路切換機構を示す斜視図である。
【図２６】図１５に示されるメディアパックの図２３に示されるプリント媒体搬送系に対する装着動作の説明に供される図である。
【図２７】図１５に示されるメディアパックの図２３に示されるプリント媒体搬送系に対する装着動作の説明に供される図である。
【図２８】図１５に示されるメディアパックの図２３に示されるプリント媒体搬送系に対する装着動作の説明に供される図である。
【図２９】図２３に示される例における動力伝達経路切換機構を、メディアパックとともに示す斜視図である。
【図３０】図２３に示される例における動力伝達経路切換機構を、メディアパックとともに示す斜視図である。
【図３１】図２３に示される例における動力伝達経路切換機構および圧板ヘッドリンク機構部を、メディアパックとともに示す斜視図である。
【図３２】図１２に示される第２ＣＰＵがロック機構制御および給紙動作制御を行うとき実行するプログラムの一例を示すフローチャートである。
【図３３】図２２に示されるロック機構の動作説明に供される斜視図である。
【図３４】図２３に示される例における動力伝達経路切換機構の動作説明に供される斜視図である。
【図３５】図２３に示される例における圧板ヘッドリンク機構部の動作説明に供される斜視図である。
【図３６】図２３に示される例における動力伝達経路切換機構の動作説明に供される斜視図である。
【図３７】図２３に示される例における圧板ヘッドリンク機構部の動作説明に供される断面図である。
【図３８】図２３に示される例における圧板ヘッドリンク機構部の動作説明に供される断面図である。
【図３９】図２３に示される例における圧板ヘッドリンク機構部の動作説明に供される斜視図である。
【図４０】図２３に示される例における圧板ヘッドリンク機構部の動作説明に供される断面図である。
【図４１】（Ａ）は、本発明に係るメディアパックを備える記録装置の一例に用いられるＬＦピンチローラの待避／復帰機構の他の例を概略的に示し、（Ｂ）、（Ｃ）、（Ｄ）は、それぞれ、（Ａ）に示めされる例における動作説明に供される図である。
【符号の説明】
Ａ００１  装置本体
Ａ００２  挿入部
Ａ１００  カメラ部
Ａ１０１  レンズ
Ａ１０２  ファインダー
Ａ１０２ａ  ファインダー窓
Ａ１０３  ストロボ
Ａ１０４  レリーズボタン
Ａ１０５  ファインダー
Ａ１０６  液晶表示部（外部表示部）
Ａ１０７  コンパクトフラッシュ（登録商標）メモリカード（ＣＦカード）
Ａ１０８  電池
Ａ１０９  排出部
Ｂ１００  プリンタ部（記録装置部）
Ｂ１０１  ＬＦローラ
Ｂ１０２  ＬＦピンチローラ
Ｂ１０３  プラテン
Ｂ１０４  キャリッジ
Ｂ１０５  ガイド軸
Ｂ１０６  リードスクリュー
Ｂ１０７  軸受け
Ｂ１０８  軸受け
Ｂ１０９  スクリューピン
Ｂ１１０  ばね
Ｂ１２０  記録ヘッド
Ｂ１２１  インク吐出口
Ｂ１２２  ニードル
Ｂ１２３  供給エアー口
Ｂ１２４  ニードルカバー
Ｂ１３１  エンコーダセンサ
Ｂ１３２  リニアスケール
Ｂ１３３  ＨＰフラグ
Ｂ１３４  ＨＰセンサ
Ｂ１４１  スクリューギア
Ｂ１４２  アイドラギア
Ｂ１４３  モータギア
Ｂ１５０  フレキシブルケーブル
Ｂ２０１  排紙ローラ
Ｂ２０２  排紙ローラギア
Ｂ２０３  中継ギア
Ｂ２０４  ＬＦローラギア
Ｂ２１１  切替スライダ
Ｂ２１２  切替カム
Ｂ２１３  圧板ヘッド
Ｂ２１６  切替ギア
Ｂ２２０  切替アーム
Ｂ２２４  スライド軸
Ｂ２２８  スライドギア
Ｂ２３４  駆動ギア
Ｂ２３６  ラチェット支持軸
Ｂ２４６  ロック機構
Ｂ２７０  圧板ヘッドリンク機構部
Ｂ３０１  ジョイントフォーク
Ｂ３０２  供給ジョイント
Ｂ３０３  供給チューブ
Ｂ３０４  ポンプシリンダ
Ｂ３０５  ジョイントリフタ
Ｂ３１０  吸引キャップ
Ｂ３１１  吸引チューブ
Ｂ３１２  廃液チューブ
Ｂ３１３  廃液ジョイント
Ｂ３１５  ポンプユニット
Ｂ３１６  ワイパーリフタ
Ｂ３２１  ポンプＨＰセンサ
Ｂ３２２  ジョイントＨＰセンサ
Ｂ３２３  シャーシ
Ｃ１００  メディアパック
Ｃ１００’クリーニングパック
Ｃ１０１  パック本体
Ｃ１０２  シャッター
Ｃ１０２Ａ  窓部
Ｃ１０３  インクパック
Ｃ１０３’保守液用インクパック
Ｃ１０４  プリント媒体
Ｃ１０４’吸水体
Ｃ１０５  ジョイント
Ｃ１０６  ワイパー
Ｃ１０７  インク吸収体
Ｃ１１０  給紙ローラ
Ｃ１１０ａ  連結部
Ｃ１１８  隙間分離部
Ｍ００１  キャリッジモータ
Ｍ００２  搬送モータ
Ｍ００３  ジョイントモータ
Ｍ００４  ポンプモータ
１０１  ＣＣＤ
１０２  マイク
１０３  ＡＳＩＣ
１０４  第１メモリ
１０５  ＣＦカード（「ＣＦカードＡ１０７」に相当）
１０６  ＬＣＤ（「液晶表示部Ａ１０５」に相当）
１０７  レンズ
１２０  第１ＣＰＵ
２０１  画像処理部
２０２  第２メモリ
２０３  バンドメモリ制御部
２０４  バンドメモリ
２０５  マスクメモリ
２０６  ヘッド制御部
２０７  記録ヘッド（「記録ヘッドＢ１２０」に相当）
２０８  エンコーダ（「エンコーダセンサＢ１３１」に相当）
２０９  エンコーダカウンタ
２１０  インターフェース
２２０  第２ＣＰＵ
２２１  モータドライバ
２２２  モータ（「モータＭ００１，Ｍ００２，Ｍ００３，Ｍ００４」に相当）
２２３  センサ（「ＨＰセンサＢ１３４，Ｂ３２１，Ｂ３２２」を含む）
２２４  ＥＥＰＲＯＭ
２２６  コンタクトパッド部
２３０  音声エンコーダ部
２５０  電源部（「電池Ａ１０８」に相当）
【図１】
2004167936.tif 000003
【図２】
2004167936.tif 000004
【図３】
2004167936.tif 000005
【図４】
2004167936.tif 000006
【図５】
2004167936.tif 000007
【図６】
2004167936.tif 000008
【図７】
2004167936.tif 000009
【図８】
2004167936.tif 000010
【図９】
2004167936.tif 000011
【図１０】
2004167936.tif 000012
【図１１】
2004167936.tif 000013
【図１２】
2004167936.tif 000014
【図１３】
2004167936.tif 000015
【図１４】
2004167936.tif 000016
【図１５】
2004167936.tif 000017
【図１６】
2004167936.tif 000018
【図１７】
2004167936.tif 000019
【図１８】
2004167936.tif 000020
【図１９】
2004167936.tif 000021
【図２０】
2004167936.tif 000022
【図２１】
2004167936.tif 000023
【図２２】
2004167936.tif 000024
【図２３】
2004167936.tif 000025
【図２４】
2004167936.tif 000026
【図２５】
2004167936.tif 000027
【図２６】
2004167936.tif 000028
【図２７】
2004167936.tif 000029
【図２８】
2004167936.tif 000030
【図２９】
2004167936.tif 000031
【図３０】
2004167936.tif 000032
【図３１】
2004167936.tif 000033
【図３２】
2004167936.tif 000034
【図３３】
2004167936.tif 000035
【図３４】
2004167936.tif 000036
【図３５】
2004167936.tif 000037
【図３６】
2004167936.tif 000038
【図３７】
2004167936.tif 000039
【図３８】
2004167936.tif 000040
【図３９】
2004167936.tif 000041
【図４０】
2004167936.tif 000042
【図４１】
2004167936.tif 000043